(57)【特許請求の範囲】
【請求項１】
ユーザ機器（ＵＥ）によって受信されたダウンリンク通信に関するフィードバックを提供する方法であって、
１つまたは複数のチャネル上でネットワークエンティティからの信号に関してモニタリングすることと、
前記モニタリングに基づいて、前記１つまたは複数のチャネル上で１つまたは複数のグラントが受信されるかどうかおよびＵＥデータが受信されるかどうかを決定することと、ここにおいて、前記決定することは、
前記ＵＥが前記ネットワークエンティティから第１段階アップリンクグラントを受信したかどうかを決定することと、
前記ＵＥが前記ネットワークエンティティから第１段階ダウンリンクグラントを受信したかどうかに基づいて第１の状態を決定することと、
前記ＵＥが前記ネットワークエンティティから第２段階ダウンリンクグラントを受信したかどうかに基づいて第２の状態を決定することと、
前記ＵＥが前記ＵＥデータを受信したかどうかおよび前記ＵＥデータが前記ＵＥによって成功裏に復号されるかどうかに基づいて第３の状態を決定することと、
を備え、
フィードバックルールによりおよび前記１つまたは複数のグラントおよび前記ＵＥデータが受信されるかどうかに基づいて決定されたフィードバック値を有するフィードバック指示を生成することと、
前記フィードバックルールによりおよび前記１つまたは複数のグラントおよび前記ＵＥデータが受信されるかどうかに基づいて決定されたリソースで前記ネットワークエンティティに前記フィードバック指示を送信することと、
を備える、方法。
【請求項２】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１に記載の方法。
【請求項３】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項４】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項５】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されなかったことを示し、および、
前記第３の状態が、ダウンリンクデータが受信されなかったことを示す、
に対応する、請求項１に記載の方法。
【請求項６】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項７】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項８】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１に記載の方法。
【請求項９】
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項１０】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項１１】
前記ＵＥが前記第１段階アップリンクグラントを受信したという決定、および、ここにおいて、前記フィードバック指示は、前記第１段階ダウンリンクグラントによって許可されたリソースを通じての送信に関するＡＣＫメッセージを含む、は、
前記第１の状態が、前記第１段階ダウンリンクグラントが前記ＵＥによって受信されたことを示し、および、
前記第２の状態が、前記第２段階ダウンリンクグラントが受信されなかったことを示す、
に対応する、請求項１に記載の方法。
【請求項１２】
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態は、ダウンリンクデータが成功裏に復号されたことを示す、
に対応する、請求項１に記載の方法。
【請求項１３】
前記ＵＥが前記第１段階アップリンクグラントを受信したという決定、および、ここにおいて、前記フィードバック指示は、前記第１段階ダウンリンクグラントによって許可されたリソースを通じての送信に関するＡＣＫメッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項１４】
前記第１段階ダウンリンクグラントは、前記ＵＥに、変調コーディング方式（ＭＣＳ）パラメータ、プリコーディングパラメータ、または電力制御パラメータのうちの少なくとも１つを割り当てる、
請求項１に記載の方法。
【請求項１５】
前記第２段階ダウンリンクグラントは、前記ＵＥに帯域幅リソースを割り当てる、
請求項１に記載の方法。
【請求項１６】
信号に関して前記モニタリングすること、または１つのサブフレーム未満の送信時間間隔（ＴＴＩ）で前記ネットワークエンティティに前記フィードバック指示を前記送信することのうちの少なくとも１つを実行することをさらに備える、
請求項１に記載の方法。
【請求項１７】
ユーザ機器（ＵＥ）によって受信されたダウンリンク通信に関するフィードバックを提供するためのコンピュータ実行可能コードを格納する非一時的コンピュータ可読記憶媒体であって、
１つまたは複数のチャネル上でネットワークエンティティからの信号に関してモニタリングするためのコードと、
前記モニタリングに基づいて、前記１つまたは複数のチャネル上で１つまたは複数のグラントが受信されるかどうかおよびＵＥデータが受信されるかどうかを決定するためのコードと、ここにおいて、決定するための前記コードは、
前記ＵＥが前記ネットワークエンティティから第１段階アップリンクグラントを受信したかどうかを決定するためのコードと、
前記ＵＥが前記ネットワークエンティティから第１段階ダウンリンクグラントを受信したかどうかに基づいて第１の状態を決定するためのコードと、
前記ＵＥが前記ネットワークエンティティから第２段階ダウンリンクグラントを受信したかどうかに基づいて第２の状態を決定するためのコードと、
前記ＵＥが前記ＵＥデータを受信したかどうかおよび前記ＵＥデータが前記ＵＥによって成功裏に復号されるかどうかに基づいて第３の状態を決定するためのコードと、
を備え、
フィードバックルールによりおよび前記１つまたは複数のグラントおよび前記ＵＥデータが受信されるかどうかに基づいて決定されたフィードバック値を有するフィードバック指示を生成するためのコードと、
前記フィードバックルールによりおよび前記１つまたは複数のグラントおよび前記ＵＥデータが受信されるかどうかに基づいて決定されたリソースで前記ネットワークエンティティに前記フィードバック指示を送信するためのコードと、
を備える、コンピュータ可読記憶媒体。
【請求項１８】
ユーザ機器（ＵＥ）によって受信されたダウンリンク通信に関するフィードバックを提供するための装置であって、
１つまたは複数のチャネル上でネットワークエンティティからの信号に関してモニタリングするための手段と、
前記モニタリングに基づいて、前記１つまたは複数のチャネル上で１つまたは複数のグラントが受信されるかどうかおよびＵＥデータが受信されるかどうかを決定するための手段と、ここにおいて、決定するための前記手段は、
前記ＵＥが前記ネットワークエンティティから第１段階アップリンクグラントを受信したかどうかを決定するための手段と、
前記ＵＥが前記ネットワークエンティティから第１段階ダウンリンクグラントを受信したかどうかに基づいて第１の状態を決定するための手段と、
前記ＵＥが前記ネットワークエンティティから第２段階ダウンリンクグラントを受信したかどうかに基づいて第２の状態を決定するための手段と、
前記ＵＥが前記ＵＥデータを受信したかどうかおよび前記ＵＥデータが前記ＵＥによって成功裏に復号されるかどうかに基づいて第３の状態を決定するための手段と、
を備え、
フィードバックルールによりおよび前記１つまたは複数のグラントおよび前記ＵＥデータが受信されるかどうかに基づいて決定されたフィードバック値を有するフィードバック指示を生成するための手段と、
前記フィードバックルールによりおよび前記１つまたは複数のグラントおよび前記ＵＥデータが受信されるかどうかに基づいて決定されたリソースで前記ネットワークエンティティに前記フィードバック指示を送信するための手段と、
を備える、装置。
【請求項１９】
ユーザ機器（ＵＥ）によって受信されたダウンリンク通信に関するフィードバックを提供するための装置であって、
１つまたは複数のチャネル上でネットワークエンティティからの信号を受信するように構成されたトランシーバと、
前記トランシーバと通信状態にあるプロセッサと、ここにおいて、前記プロセッサは、
前記１つまたは複数のチャネル上で前記ネットワークエンティティからの前記信号に関してモニタリングするための命令と、
前記モニタリングに基づいて、前記１つまたは複数のチャネル上で１つまたは複数のグラントが受信されるかどうかおよびＵＥデータが受信されるかどうかを決定するための命令と、ここにおいて、決定するための前記命令は、
前記ＵＥが前記ネットワークエンティティから第１段階アップリンクグラントを受信したかどうかを決定するための命令と、
前記ＵＥが前記ネットワークエンティティから第１段階ダウンリンクグラントを受信したかどうかに基づいて第１の状態を決定するための命令と、
前記ＵＥが前記ネットワークエンティティから第２段階ダウンリンクグラントを受信したかどうかに基づいて第２の状態を決定するための命令と、
前記ＵＥが前記ＵＥデータを受信したかどうかおよび前記ＵＥデータが前記ＵＥによって成功裏に復号されるかどうかに基づいて第３の状態を決定するための命令と、
を備え、
フィードバックルールによりおよび前記１つまたは複数のグラントおよび前記ＵＥデータが受信されるかどうかに基づいて決定されたフィードバック値を有するフィードバック指示を生成するための命令と、
前記トランシーバを介して、前記フィードバックルールによりおよび前記１つまたは複数のグラントおよび前記ＵＥデータが受信されるかどうかに基づいて決定されたリソースで前記ネットワークエンティティに前記フィードバック指示を送信するための命令と
を実行するように構成され、
実行可能な前記命令と、前記フィードバック指示または前記フィードバック値のうちの少なくとも１つとを格納するために前記プロセッサに通信可能に結合されたメモリと、
を備える、装置。
【請求項２０】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１９に記載の装置。
【請求項２１】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１９に記載の装置。
【請求項２２】
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１９に記載の装置。
【請求項２３】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されなかったことを示し、および、
前記第３の状態が、ダウンリンクデータが受信されなかったことを示す、
に対応する、請求項１９に記載の装置。
【請求項２４】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されたことを示す、
に対応する、請求項１９に記載の装置。
【請求項２５】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１９に記載の装置。
【請求項２６】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１９に記載の装置。
【発明の詳細な説明】
【優先権の主張】
【０００１】
[0001]これは、本明細書における引用によってそれらの全体が明示で組み込まれ、２０１４年１０月３０日に出願され、「FEEDBACK SIGNAL MANAGEMENT FOR LOW LATENCY WIRELESS COMMUNICATIONS」と題する仮特許出願第６２／０７２，８８０号、および、２０１５年９月２４日に出願され、「FEEDBACK SIGNAL MANAGEMENT FOR LOW LATENCY WIRELESS COMMUNICATIONS」と題する米国特許出願第１４／８６４，７５６号に対する優先権を主張する出願である。
【背景技術】
【０００２】
[0002]開示される態様は、概して、ワイヤレス通信システムに関する。より具体的には、開示される態様は、低レイテンシーワイヤレス通信に関するフィードバック信号管理のための技法に関する。
【０００３】
[0003]ワイヤレス通信システムは、テレフォニー、映像、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を使用し得る。そのような多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一キャリア周波数分割多元接続（ＳＣ−ＦＤＭＡ）システムと、時分割同期符号分割多元接続（ＴＤ−ＳＣＤＭＡ）システムと、を含む。これらの多元接続技術は、異なる無線デバイスが都市、国家、地域、さらには地球規模で通信することを可能にする共通プロトコルを提供するために様々な電気通信規格において採用されている。
【０００４】
[0004]台頭してきた電気通信規格の例は、ロングタームエボリューション（ＬＴＥ（登録商標）：Long Term Evolution）である。ＬＴＥは、第３世代パートナーシッププロジェクト（３ＧＰＰ（登録商標））によって公布されたユニバーサル移動通信システム（ＵＭＴＳ）モバイル規格の一組の拡張である。それは、スペクトル効率を向上させることによってモバイルブロードバンドインターネットアクセスをより良くサポートし、コストを削減し、サービスを向上させ、新しいスペクトルを利用し、および、ダウンリンク（ＤＬ）上でのＯＦＤＭＡ、アップリンク（ＵＬ）上でのＳＣ−ＦＤＭＡ、および多入力多出力（ＭＩＭＯ）アンテナ技術を使用する他のオープン規格とより良く統合するように設計されている。しかしながら、モバイルブロードバンドアクセスに関する需要が増大し続けるのに応じて、ＬＴＥ技術のさらなる改良の必要性が存在する。好ましくは、これらの改良は、他の多元接続技術およびこれらの技術を使用する電気通信規格に適用可能であるべきである。
【０００５】
[0005]ＬＴＥを使用するワイヤレス通信システムでは、１つまたは複数のｅＮｏｄｅＢによってサービスが提供されるユーザ機器（ＵＥ）は、ＵＥデータを送信または受信するためのリソースグラント（grant）を提供する制御チャネル、および、ＵＥデータを提供する１つまたは複数のデータベアラチャネルを受信することができる。より低いレイテンシーの通信の開発に伴い、より短い送信時間間隔（ＴＴＩ）（例えば、ＬＴＥの１ミリ秒ＴＴＩよりも短いＴＴＩ）がサポートされる。ＵＥがネットワークとのより低いレイテンシーの通信を使用して動作するときには、ＵＥは、異なる段階でネットワークから１つまたは複数のグラントを非同期的にまたは同時に受信し得る。ｅＮｏｄｅＢとの適切な低レイテンシー通信を維持するために、ＵＥは、１つまたは複数のグラントが成功裏に受信されたるどうかを示すためにｅＮｏｄｅＢに肯定応答（ＡＣＫ）または否定応答（ＮＡＣＫ）メッセージを送信し得る。
【０００６】
[0006]従って、ＵＥがより低いレイテンシーの通信で動作するときにネットワークから１つまたは複数のグラントを受信するときにネットワークへのフィードバック信号を管理するための技法の向上を求める希望が存在する。
【発明の概要】
【０００７】
[0007]以下は、１つまたは複数の態様に関する基本的な理解を提供するためにそのような態様の簡素化された概要を提示する。この概要は、すべての企図される態様の広範な総論ではなく、さらに、全態様の主要なまたは非常に重要な要素を特定するわけではないこと、およびいずれの態様の適用範囲も詳述はせずおよび全態様の適用範囲を詳述するわけではないことが意図される。それの唯一の目的は、後述されるより詳細な説明の準備段階として１つまたは複数の態様の幾つかの概念を簡略化された形で提示することである。
【０００８】
[0008]本開示の一態様において、例えば、ユーザ機器（ＵＥ）によって受信されたダウンリンク通信に関するフィードバックを提供する方法は、１つまたは複数のチャネル上でネットワークエンティティからの信号に関してモニタリングすることを備える。さらに、方法例は、モニタリングに基づいて、１つまたは複数のチャネル上で１つまたは複数のグラントが受信されるかどうかおよびＵＥデータが受信されるかどうかを決定することを含み得る。さらに、方法例は、フィードバックルールによりおよび１つまたは複数のグラントおよびＵＥデータが受信されるかどうかに基づいて決定されたフィードバック値を有するフィードバック指示（feedback indication）を生成することを含み得る。さらに、方法例は、フィードバックルールによりおよび１つまたは複数のグラントおよびＵＥデータが受信されるかどうかに基づいて決定されたリソースでネットワークエンティティにフィードバック指示を送信することを含み得る。
【０００９】
[0009]本開示の別の態様において、例えば、ユーザ機器（ＵＥ）によって受信されたダウンリンク通信に関するフィードバックを提供するためのコンピュータ実行可能コードを格納するコンピュータ可読媒体は、１つまたは複数のチャネル上でネットワークエンティティからの信号に関してモニタリングするためのコードを備える。さらに、コンピュータ可読媒体例は、モニタリングに基づいて、１つまたは複数のチャネル上で１つまたは複数のグラントが受信されるかどうかおよびＵＥデータが受信されるかどうかを決定するためのコードを含み得る。さらに、コンピュータ可読媒体例は、フィードバックルールによりおよび１つまたは複数のグラントおよびＵＥデータが受信されるかどうかに基づいて決定されたフィードバック値を有するフィードバック指示を生成するためのコードを含み得る。さらに、コンピュータ可読媒体例は、フィードバックルールによりおよび１つまたは複数のグラントおよびＵＥデータが受信されるかどうかに基づいて決定されたリソースでネットワークエンティティにフィードバック指示を送信するためのコードを含み得る。
【００１０】
[0010]本開示の別の態様において、例えば、ユーザ機器（ＵＥ）によって受信されたダウンリンク通信に関するフィードバックを提供するための装置は、１つまたは複数のチャネル上でネットワークエンティティからの信号に関してモニタリングするための手段を備える。さらに、装置例は、モニタリングに基づいて、１つまたは複数のチャネル上で１つまたは複数のグラントが受信されるかどうかおよびＵＥデータが受信されるかどうかを決定するための手段を含み得る。さらに、装置例は、フィードバックルールによりおよび１つまたは複数のグラントおよびＵＥデータが受信されるかどうかに基づいて決定されたフィードバック値を有するフィードバック指示を生成するための手段を含み得る。さらに、装置例は、フィードバックルールによりおよび１つまたは複数のグラントおよびＵＥデータが受信されるかどうかに基づいて決定されたリソースでネットワークエンティティにフィードバック指示を送信するための手段を含み得る。
【００１１】
[0011]本開示の別の態様において、例えば、ユーザ機器（ＵＥ）によって受信されたダウンリンク通信に関するフィードバックを提供するための装置は、１つまたは複数のチャネル上でネットワークエンティティから信号を受信するように構成されたトランシーバを備える。装置例は、トランシーバと通信状態にあるプロセッサをさらに含み得、プロセッサは、１つまたは複数のチャネル上でネットワークエンティティからの信号に関してモニタリングするように構成されたチャネルモニタリングコンポーネントと、モニタリングに基づいて、１つまたは複数のチャネル上で１つまたは複数のグラントが受信されるかどうかおよびＵＥデータが受信されるかどうかを決定するように構成された受信状態決定器コンポーネントと、フィードバックルールによりおよび１つまたは複数のグラントおよびＵＥデータが受信されるかどうかに基づいて決定されたフィードバック値を有するフィードバック指示を生成するように構成されたフィードバック指示生成器コンポーネントと、フィードバックルールによりおよび１つまたは複数のグラントおよびＵＥデータが受信されるかどうかに基づいて決定されたリソースでネットワークエンティティにフィードバック指示を送信するように構成された送信機と、を含む。さらに、装置例は、フィードバック指示およびフィードバック値を格納するためにプロセッサに結合されたメモリを含み得る。
【００１２】
[0012]上記のおよび関連する目的の完遂を目的として、１つまたは複数の態様は、以下において十分に説明されおよび請求項において特に指摘される特徴を備える。以下の説明および添付される図面は、１つまたは複数の態様の幾つかの例示的な特徴を詳細に説明する。しかしながら、これらの特徴は、様々な態様の原理が使用され得る様々な方法のうちのほんのわずかを示すにすぎず、この説明は、すべてのそのような態様およびそれらの同等物を含むことが意図される。
【図面の簡単な説明】
【００１３】
[0013]開示される態様は、以降では、開示される態様を限定するためではなく例示するために提供される添付図面に関連して説明され、ここにおいて、同様の指定数字は、同様の要素を表す。
【図１】[0014]  図１は、本態様によりフィードバック信号管理が実装され得るワイヤレス通信システムを示したブロック図である。
【図２】[0015]  図２は、本態様によりフィードバック信号管理が実装され得るアクセスネットワークの例を示した概略図である。
【図３】[0016]  図３は、本態様に関連して使用され得るＬＴＥにおけるＤＬフレーム構造の例を示した概略図である。
【図４】[0017]  図４は、本態様に関連して使用され得るＬＴＥにおけるＵＬフレーム構造の例を示した概略図である。
【図５】[0018]  図５は、本態様に関連して使用され得るユーザおよび制御プレーンに関する無線プロトコルアーキテクチャの例を示した概略図である。
【図６】[0019]  図６は、本態様によりフィードバック信号管理が実装され得るアクセスネットワークにおける発展型ノードＢおよびユーザ機器の例を示した概略図である。
【図７】[0020]  図７は、本態様によりフィードバック信号管理が実装され得る１つまたは複数のコンポーネントを示した概略図である。
【図８】[0021]  図８は、図７において説明されるフィードバック信号管理コンポーネントに関連する受信状態決定器の１つまたは複数のコンポーネントを示した概略図である。
【図９】[0022]  図９は、本態様によるＵＥによって受信されたダウンリンク通信に関するフィードバックを提供する方法の態様のフローチャートである。
【図１０】[0023]  図１０は、第１段階アップリンクグラントが受信されないときのフィードバック信号管理の態様によるルールの流れの態様の概略図である。
【図１１】[0024]  図１１は、第１段階アップリンクグラントが受信されるときのフィードバック信号管理の態様によるルールの流れの態様の別の概略図である。
【図１２】[0025]  図１２は、本態様によりフィードバック信号管理が実装され得る例示的な装置内の異なるモジュール／手段／コンポーネント間でのデータフローを示した概念的なデータフロー図である。
【図１３】[0026]  図１３は、本態様によりフィードバック信号管理が実装され得る処理システムを使用する装置に関するハードウェア実装の例を示した概略図である。
【発明を実施するための形態】
【００１４】
[0027]添付された図面に関連して以下に記載される詳細な説明は、様々な構成の説明として意図され、本明細書において説明される概念が実行され得る唯一の構成を表すことは意図されない。詳細な説明は、様々な概念の徹底的な理解を提供するための具体的な詳細を含む。しかしながら、これらの概念は、これらの具体的な詳細なしで実行され得ることが当業者にとって明らかになるであろう。幾つかの例では、周知のコンポーネントは、そのような概念を不明瞭にすることを回避するためにブロック図の形で示される。さらに、本明細書において使用される場合の用語「コンポーネント」は、システムを構成する部品のうちの１つであり得、ハードウェアまたはソフトウェアまたはそれらの何らか組み合わせであり得、および、他のコンポーネントに分割され得る。
【００１５】
[0028]ここでは、電気通信システムの幾つかの態様が、様々な装置および方法に関連して提示される。これらの装置および方法は、以下の詳細な説明において説明され、添付された図面では、（総称して「要素」と呼ばれる）様々なブロック、モジュール、コンポーネント、回路、ステップ、プロセス、アルゴリズム、等によって示される。これらの要素は、電子ハードウェア、コンピュータソフトウェア、またはそれらの任意の組み合わせを使用して実装され得る。そのような要素がハードウェアまたはソフトウェアのいずれとして実装されるかは、特定の適用例および全体的システムに対して課せられた設計制約に依存する。
【００１６】
[0029]例として、要素、または要素のいずれかの一部、または要素の任意の組み合わせは、１つまたは複数のプロセッサを含む「処理システム」によって実装され得る。プロセッサの例は、マイクロプロセッサと、マイクロコントローラと、デジタル信号プロセッサ（ＤＳＰ）と、フィールドプログラマブルゲートアレイ（ＦＰＧＡ）と、プログラマブルロジックデバイス（ＰＬＤ）と、ステートマシンと、ゲーテッドロジック（gated logic）と、ディスクリートハードウェア回路と、本開示全体を通じて説明される様々な機能を実行するように構成された他の適切なハードウェアと、を含む。処理システム内の１つまたは複数のプロセッサは、ソフトウェアを実行し得る。ソフトウェアとは、ソフトウェア、ファームウェア、ミドルウェア、マイクロコード、ハードウェア記述言語、またはその他のいずれとして呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（executable）、実行スレッド、プロシージャ、関数、等を意味すると広義で解釈されるものとする。
【００１７】
[0030]従って、１つまたは複数の態様において、説明される機能は、ハードウェア、ソフトウェア、ファームウェア、またはそれらの任意の組み合わせ内に実装され得る。ソフトウェア内に実装される場合は、これらの機能は、コンピュータ可読媒体上において格納されまたは１つまたは複数の命令またはコードとして符号化され得る。コンピュータ可読媒体は、コンピュータ記憶媒体を含む。記憶媒体は、コンピュータによってアクセスされることができる任意の利用可能な媒体であり得る。例として、および限定することなしに、そのようなコンピュータ可読媒体は、ＲＡＭ、ＲＯＭ、ＥＥＰＲＯＭ（登録商標）、ＣＤ−ＲＯＭまたは他の光学ディスクストレージ、磁気ディスクストレージまたは他の磁気記憶デバイス、または、希望されるプログラムコードを命令またはデータ構造の形態で搬送または格納するために使用されることができおよびコンピュータによってアクセスされることができる任意の他の媒体、を備えることができる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められるべきである。
【００１８】
[0031]本開示は、ＵＥがより低いレイテンシーの通信を使用して動作しているときのように、異なる段階でＵＥにおいて受信されたダウンリンク通信に関してフィードバックを管理するための様々な態様を提示する。本明細書において使用される場合の用語「より低いレイテンシーの通信」は、極低レイテンシー（ＵＬＬ）通信、超低レイテンシー（ＶＬＬ）通信、等のいずれの文脈であるかにかかわらず、より低いレイテンシーの通信に関連する基礎になる通信技術の送信時間間隔（ＴＴＩ）よりも短いそれを利用する通信を意味することができることが認識されるべきである。例えば、ＬＴＥに関するより低いレイテンシーの通信では、より低いレイテンシーの通信は、一態様においては、継続時間が１つのサブフレーム未満であり、換言すると、継続時間が１ミリ秒（ｍｓ）未満であるＴＴＩを使用する。さらに、例えば一態様において、そのようなより低いレイテンシーの通信は、１つのシンボルという短い継続時間を有するＴＴＩを使用し得る。さらに、幾つかの構成では、そのようなより低いレイテンシーの通信は、基礎になる通信技術に関する通信上に（例えば、上例においてはＬＴＥ上に）スーパーインポーズまたはパンクチャ（puncture）されることができる。さらに、この点に関して、幾つかのネットワークノードは、基礎となる通信技術を使用する通信および異なるＴＴＩを使用するより低いレイテンシーの通信の両方をサポートし得る（しかしながら、同じまたは同様の周波数リソースにわたって両方をサポートし得る）。
【００１９】
[0032]ＵＥがより低いレイテンシーの通信を使用してネットワークと通信状態で動作するときには、ＵＥは、異なる段階でネットワークからグラントの異なる一部分、および異なるタイプのグラントを受信し得る。例えば、まれに生じ得および相対的にまれに変化するパラメータを割り当て得る、段階０ＤＬグラントとも呼ばれる、最初のまたは第１段階のダウンリンク（ＤＬ）グラントを、ｅＮｏｄｅＢは送信し得、ＵＥは受信し得る。例えば、第１段階ＤＬグラントは、リソースを通じての通信のために、変調コーディング方式（ＭＣＳ）パラメータ、プリコーディングパラメータ、および電力制御パラメータ、等のうちの１つまたは複数のような、ただしそれらに限定されない、パラメータを割り当て得る。さらに、例えば、実際のＤＬリソースのような、ただしそれらに限定されない、（第１の段階のＤＬグラントのパラメータと比較して）相対的により頻繁に変化するパラメータを割り当て得る、段階１ＤＬグラントとも呼ばれる、後続するまたは第２の段階のＤＬグラントを、ｅＮｏｄｅＢは送信し得、ＵＥは受信し得る。さらに、例えば、実際のＵＬ送信リソースのような、ただしそれらに限定されない、（第１段階ＤＬグラントのパラメータと比較して）相対的にまれに変化するＵＬ通信パラメータを割り当て得る、段階０ＵＬグラントとも呼ばれる、最初のまたは第１の段階のＤＬグラントを、ｅＮｏｄｅＢは送信し得、ＵＥは受信し得る。さらに、受信された第２段階ＤＬグラントに基づき、許可されたリソースでＵＥデータを、ｅＮｏｄｅＢは送信し得、ＵＥは受信し得る。
【００２０】
[0033]本態様により、ＵＥは、１つまたは複数のチャネル上でｅＮｏｄｅＢからの信号に関してモニタリングし、および、上記のグラントのうちの１つまたは複数が受信されるかどうかおよびＵＥデータが受信されるかどうかを決定する。これらの決定に応答して、ＵＥは、受信された１つまたは複数のグラントおよび／またはＵＥデータに基づいてフィードバック指示を生成しおよび選択されたリソースで送信する。例えば、ＵＥは、ｅＮｏｄｅＢによっても知られるフィードバックルールを実行し得、ここで、フィードバックルールは、フィードバック指示に関するフィードバック値、例えば、ＡＣＫまたはＮＡＣＫまたはＤＴＸ信号、および、フィードバック指示を送信するために使用するためのリソースを要求する。その結果、特定のリソース上での、ＵＥによる特定のフィードバック値を有するフィードバック指示の送信は、１つまたは複数のグラントが受信されたかどうかおよびＵＥデータが受信されたかどうかに関する明示および暗黙のシグナリングの組み合わせをｅＮｏｄｅＢに提供する。
【００２１】
[0034]従って、本態様では、特定のリソースで送信される特定のフィードバック値を有する現在説明されているフィードバック指示がより低いレイテンシーの環境において効率的に動作する簡潔なフィードバックメカニズムを提供するため、本態様は、ＵＥがより低いレイテンシーの通信を使用してｅＮｏｄｅＢと通信状態で動作するときに特に有用であり得る。
【００２２】
[0035]最初に図１を参照し、概略図は、本開示の態様による、ワイヤレス通信システム１００の例を示す。ワイヤレス通信システム１００は、本明細書においてはネットワークノードとも呼ばれる複数のアクセスポイント（例えば、基地局、ｅＮＢ、またはＷＬＡＮアクセスポイント）１０５と、幾つかのユーザ機器（ＵＥ）１１５と、コアネットワーク１３０と、を含む。アクセスポイントまたはネットワークエンティティ１０５は、より低いレイテンシーの通信において、ＵＥ１１５−ａを含むＵＥにリソースグラントおよび／またはＵＥデータを含む１つまたは複数の信号１４０を通信するように構成された、スケジューリングコンポーネントと送信コンポーネントとを含み得る通信コンポーネント１０８を含み得る。それに対応して、ＵＥ−１１５ａのようなＵＥのうちの１つまたは複数は、１つまたは複数の信号１４０に関してモニタリングし、リソースグラントおよび／またはＵＥデータの受信を決定し、および、リソースグラントおよび／またはＵＥデータが適切に受信されたおよび／または復号されたかどうかを示すためにアクセスポイントまたはネットワークエンティティ１０５にフィードバック指示信号１４２を送信するように構成されたフィードバックマネージャコンポーネント１０６を含み得る。
【００２３】
[0036]一態様において、例えば、フィードバックマネージャコンポーネント１０６は、フィードバックルールによりおよび１つまたは複数のグラントおよび／またはＵＥデータが受信されるかどうかに基づいて決定されたフィードバック値を有するフィードバック指示を含むフィードバック指示信号１４２を生成するように構成され得る。例えば、フィードバック指示は、ＡＣＫメッセージ、ＮＡＣＫメッセージ、または不連続的送信（ＤＴＸ）信号であり得る。さらに、例えば、フィードバックマネージャコンポーネント１０６は、さらに、フィードバックルールによりおよび１つまたは複数のグラントおよびＵＥデータが受信されるかどうかに基づいて決定されたリソースでネットワークにフィードバック指示を送信するように構成され得る。従って、フィードバックマネージャコンポーネント１０６は、１つまたは複数のグラントが受信されたかどうかおよび／またはＵＥデータが受信されたかどうかに関する明示および暗黙のシグナリングの組み合わせをアクセスポイントまたはネットワークエンティティ１０５に提供するために、特定のリソース上で、特定のフィードバック値を有するフィードバック指示信号１４２を送信し得る。例えば、フィードバック指示信号１４２は、ＵＥ１１５−ａがアクセスポイントまたはネットワークエンティティ１０５から第１段階アップリンクグラントを受信したかどうか、ＵＥ１１５−ａがアクセスポイントまたはネットワークエンティティ１０５から第１段階ダウンリンクグラントを受信したかどうか、ＵＥ１１５−ａがアクセスポイントまたはネットワークエンティティ１０５から第２段階ダウンリンクグラントを受信したかどうか、および／または、ＵＥ１１５−ａがアクセスポイントまたはネットワークエンティティ１０５からダウンリンクデータを受信したかどうかおよびダウンリンクデータがＵＥ１１５−ａによって成功裏に復号されたかどうかを示し得る。
【００２４】
[0037]アクセスポイントまたはネットワークエンティティ１０５は、バックホールリンク１３２を通じてコアネットワーク１３０と制御情報および／またはＵＥデータを通信し得る。例において、アクセスポイントまたはネットワークエンティティ１０５は、直接または間接的に、有線または無線通信リンクであり得るバックホールリンク１３４を通じて互いと通信し得る。ワイヤレス通信システム１００は、複数のキャリア（異なる周波数の波形信号）での動作をサポートし得る。マルチキャリア送信機は、複数のキャリア上で同時に変調された信号を送信することができる。例えば、各通信リンク１２５は、上述される様々な無線技術により変調されたマルチキャリア信号であり得る。各々の変調された信号は、異なるキャリア上で送信され得、および、制御情報（例えば、基準信号、制御チャネル、等）、オーバーヘッド情報、データ、等を搬送し得る。
【００２５】
[0038]幾つかの例において、ワイヤレス通信システム１００の少なくとも一部分は、ＵＥ１１５のうちの１つまたは複数およびアクセスポイントまたはネットワークエンティティ１０５のうちの１つまたは複数が、別の階層に関して低減されたレイテンシーを有する階層上での送信をサポートするように構成され得る複数の階層上で動作するように構成され得る。幾つかの例において、ハイブリッドＵＥ１１５−ａは、第１のサブフレームタイプを有する第１層送信をサポートする第１の階層および第２のサブフレームタイプを有する第２層送信をサポートする第２の階層の両方でアクセスポイントまたはネットワークエンティティ１０５−ａと通信し得る。例えば、アクセスポイントまたはネットワークエンティティ１０５−ａは、第１のサブフレームタイプのサブフレームと時分割二重化される第２のサブフレームタイプのサブフレームを送信し得る。
【００２６】
[0039]幾つかの例において、ハイブリッドＵＥ１１５−ａは、例えば、ＨＡＲＱ方式を通じて送信のためにＡＣＫ／ＮＡＣＫを提供することによって送信の受信に関して肯定応答し得る。第１の階層での送信に関するハイブリッドＵＥ１１５−ａからの肯定応答は、幾つかの例では、送信が受信されたサブフレームに後続する予め定義された数のサブフレームの後に提供され得る。ハイブリッドＵＥ１１５−ａは、第２の階層で動作するときには、幾つかの例では、送信が受信されたサブフレームと同じサブフレームでの受信に関して肯定応答し得る。ＡＣＫ／ＮＡＣＫを送信しおよび再送信を受信するために要求される時間は、往復時間（ＲＴＴ）と呼ばれ得、従って、第２のサブフレームタイプのサブフレームは、第１のサブフレームタイプのサブフレームに関するＲＴＴよりも短い第２のＲＴＴを有し得る。
【００２７】
[0040]他の例において、第２層ＵＥ１１５−ｂは、第２の階層上のみでアクセスポイントまたはネットワークエンティティ１１５−ｂと通信し得る。従って、ハイブリッドＵＥ１１５−ａおよび第２層ＵＥ１１５−ｂは、第２の階層上で通信し得るＵＥ１１５の第２のクラスに属し得、他方、レガシーＵＥ１１５は、第１の階層上のみで通信し得るＵＥ１１５の第１のクラスに属し得る。アクセスポイントまたはネットワークエンティティ１０５−ｂおよびＵＥ１１５−ｂは、第２のサブフレームタイプのサブフレームの送信を通じて第２の階層上で通信し得る。アクセスポイントまたはネットワークエンティティ１０５−ｂは、第２のサブフレームタイプのみのサブフレームを送信し得、または、第２のサブフレームタイプのサブフレームと時分割多重化される第１の階層上で第１のサブフレームタイプの１つまたは複数のサブフレームを送信し得る。第２層ＵＥ１１５−ｂは、アクセスポイントまたはネットワークエンティティ１０５−ｂが第１のサブフレームタイプのサブフレームを送信する場合は、第１のサブフレームタイプのそのようなサブフレームを無視し得る。従って、第２層ＵＥ１１５−ｂは、送信が受信されるサブフレームと同じサブフレーム内での送信の受信に関して肯定応答し得る。従って、第２層１１５−ｂは、第１の階層上で動作するＵＥ１１５と比較して低減されたレイテンシーで動作し得る。
【００２８】
[0041]アクセスポイントまたはネットワークエンティティ１０５は、１本または複数本のアクセスポイントアンテナを介してＵＥ１１５と無線で通信し得る。アクセスポイントまたはネットワークエンティティ１０５サイトの各々は、各々のカバレッジエリア１１０に関する通信カバレッジを提供し得る。幾つかの例において、アクセスポイントまたはネットワークエンティティ１０５は、ベーストランシーバ局、無線基地局、無線トランシーバ、基本サービスセット（ＢＳＳ）、拡張サービスセット（ＥＳＳ）、ＮｏｄｅＢ、ｅＮｏｄｅＢ、ホームＮｏｄｅＢ、ホームｅＮｏｄｅＢ、または何らかの他の適切な用語と呼ばれ得る。基地局に関するカバレッジエリア１１０は、カバレッジエリア（示されていない）の一部分のみを成すセクタに分割され得る。ワイヤレス通信システム１００は、異なるタイプのアクセスポイントまたはネットワークエンティティ１０５（例えば、マクロ、マイクロ、および／またはピコ基地局）を含み得る。アクセスポイントまたはネットワークエンティティ１０５はまた、セルラーおよび／またはＷＬＡＮ無線アクセス技術のような異なる無線技術を利用し得る。アクセスポイントまたはネットワークエンティティ１０５は、同じまたは異なるアクセスネットワークまたはオペレータ配備に関連させ得る。同じまたは異なるタイプのアクセスポイントまたはネットワークエンティティ１０５のカバレッジエリアを含み、同じまたは異なる無線技術を利用し、および／または同じまたは異なるアクセスネットワークに属する、異なるアクセスポイントまたはネットワークエンティティ１０５のカバレッジエリアは、重複し得る。
【００２９】
[0042]ＬＴＥ／ＬＴＥ−Ａおよび／またはＵＬＬ  ＬＴＥネットワーク通信システムにおいて、用語発展型ノードＢ（ｅＮｏｄｅＢまたはｅＮＢ）は、概して、アクセスポイントまたはネットワークエンティティ１０５について説明するために使用され得る。ワイヤレス通信システム１００は、異なるタイプのアクセスポイントが様々な地理上の地域に関するカバレッジを提供するヘテロジェニアスＬＴＥ／ＬＴＥ−Ａ／ＵＬＬ  ＬＴＥネットワークであり得る。例えば、各アクセスポイントまたはネットワークエンティティ１０５は、マクロセル、ピコセル、フェムトセル、および／または他のタイプのセルに関する通信カバレッジを提供し得る。ピコセル、フェムトセル、および／または他のタイプのセルのようなスモールセルは、低電力ノードまたはＬＰＮを含み得る。マクロセルは、概して、相対的に大きな地理上のエリア（例えば、半径数キロメートル）を網羅し、および、ネットワークプロバイダとのサービス加入契約を有するＵＥ１１５による無制限のアクセスを許容し得る。スモールセルは、概して、相対的にそれよりも小さい地理上のエリアを網羅し、および、例えば、ネットワークプロバイダとのサービス加入契約を有するＵＥ１１５による無制限のアクセスを許容し得、および、無制限のアクセスに加えて、スモールセルとの関連性を有するＵＥ１１５（例えば、クローズド加入者グループ（ＣＳＧ）内のＵＥ、自宅内のユーザに関するＵＥ、および同様の物）による制限されたアクセスも提供し得る。マクロセルに関するｅＮＢは、マクロｅＮＢと呼ばれ得る。スモールセルに関するｅＮＢは、スモールセルｅＮＢと呼ばれ得る。ｅＮＢは、１つまたは複数（２つ、３つ、４つ、および同様）のセルをサポートし得る。
【００３０】
[0043]コアネットワーク１３０は、バックホールリンク１３２（例えば、Ｓ１インタフェース、等）を介してｅＮＢまたは他のアクセスポイントまたはネットワークエンティティ１０５と通信し得る。アクセスポイントまたはネットワークエンティティ１０５はまた、例えば、直接的にまたは（例えば、コアネットワーク１３０を通じて）バックホールリンク１３４（例えば、Ｘ２インタフェース、等）を介しておよび／またはバックホールリンク１３２を介して間接的に互いと通信し得る。ワイヤレス通信システム１００は、同期的または非同期的動作をサポートし得る。同期的動作に関しては、アクセスポイントまたはネットワークエンティティ１０５は、同様のフレームタイミングを有し得、異なるアクセスポイントまたはネットワークエンティティ１０５からの送信は、時間の点でほぼ整合され得る。非同期的動作に関しては、アクセスポイントまたはネットワークエンティティ１０５は、異なるフレームタイミングを有し得、異なるアクセスポイントまたはネットワークエンティティ１０５からの送信は、時間的に整合し得ない。さらに、第１の階層および第２の階層での送信は、アクセスポイントまたはネットワークエンティティ１０５間で同期化され得るまたはされ得ない。本明細書において説明される技法は、同期的動作または非同期的動作のいずれに関しても使用され得る。
【００３１】
[0044]ＵＥ１１５は、ワイヤレス通信システム１００全体にわたって分散され、各ＵＥ１１５は、静止型または移動型であり得る。ＵＥ１１５はまた、当業者によって、移動局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語と呼ばれ得る。ＵＥ１１５は、携帯電話、携帯情報端末（ＰＤＡ）、無線モデム、無線通信デバイス、ハンドヘルドデバイス、タブレットコンピュータ、ラップトップコンピュータ、コードレスフォン、腕時計または眼鏡のようなウエアラブル品目、ワイヤレスローカルループ（ＷＬＬ）局、または同様の物であり得る。ＵＥ１１５は、マクロｅＮｏｄｅＢ、スモールセルｅＮｏｄｅＢ、リレー、および同様の物と通信することができ得る。ＵＥ１１５はまた、セルラーまたは他のＷＷＡＮアクセスネットワークまたはＷＬＡＮアクセスネットワークのような異なるアクセスネットワークを通じて通信し得る。
【００３２】
[0045]ワイヤレス通信システム１００において示される通信リンク１２５は、ＵＥ１１５からアクセスポイントまたはネットワークエンティティ１０５へのアップリンク（ＵＬ）送信、および／またはアクセスポイントまたはネットワークエンティティ１０５からＵＥ１１５へのダウンリンク（ＤＬ）送信を含み得る。ダウンリンク送信はまた、順方向リンク送信と呼ばれ得、アップリンク送信はまた、逆方向リンク送信と呼ばれ得る。通信リンク１２５は、幾つかの例では、通信リンク１２５において多重化され得る各階層の送信を搬送し得る。ＵＥ１１５は、例えば、多入力多出力（ＭＩＭＯ）、キャリアアグリゲーション（ＣＡ）、コーディネーティッドマルチポイント（ＣｏＭＰ）、または他の方式を通じて複数のアクセスポイントまたはネットワークエンティティ１０５と協同的に通信するように構成され得る。ＭＩＭＯ技法は、複数のデータストリームを送信するためにアクセスポイントまたはネットワークエンティティ１０５上の複数本のアンテナおよび／またはＵＥ１１５上の複数本のアンテナを使用する。キャリアアグリゲーションは、データ送信のために同じまたは異なるサービングセル上で２つ以上のコンポーネントキャリアを利用し得る。ＣｏＭＰは、ＵＥ１１５に関する全体的な送信品質を向上させるためのさらにはネットワークおよびスペクトル利用を増大させるための幾つかのアクセスポイントまたはネットワークエンティティ１０５による送信および受信の協調のための技法を含み得る。
【００３３】
[0046]上記のように、幾つかの例において、アクセスポイントまたはネットワークエンティティ１０５およびＵＥ１１５は、複数のキャリア上で送信するためにキャリアアグリゲーションを利用し得る。幾つかの例において、アクセスポイントまたはネットワークエンティティ１０５およびＵＥ１１５は、２つ以上の別個のキャリアを使用して、第１のサブフレームタイプを各々が有する１つまたは複数のサブフレームを、フレーム内で、第１の階層で、同時に送信し得る。各キャリアは、例えば、２０ＭＨｚの帯域幅を有し得るが、他の帯域幅が利用され得る。ハイブリッドＵＥ１１５−ａ、および／または第２層ＵＥ１１５−ｂは、幾つかの例では、別個のキャリアのうちの１つまたは複数の帯域幅よりも大きい帯域幅を有する単一のキャリアを利用して第２の階層で１つまたは複数のサブフレームを受信および／または送信し得る。例えば、４つの別々の２０ＭＨｚキャリアが第１の階層でキャリアアグリゲーション方式で使用される場合、第２の階層では単一の８０ＭＨｚキャリアが使用され得る。８０ＭＨｚキャリアは、４つの２０ＭＨｚキャリアのうちの１つまたは複数によって使用される無線周波数スペクトルと少なくとも部分的に重複する無線周波数スペクトルの部分を占有し得る。幾つかの例において、さらに向上されたデータレートを提供するために、第２の階層に関するスケーラブル帯域幅が、上述されるようなより短いＲＴＴを提供するための組み合わされた技法であり得る。
【００３４】
[0047]ワイヤレス通信システム１００によって使用され得る異なる動作モードの各々は、周波数分割複信（ＦＤＤ）または時分割複信（ＴＤＤ）により動作し得る。幾つかの例において、異なる階層は、異なるＴＤＤまたはＦＤＤモードにより動作し得る。例えば、第１の階層は、ＦＤＤにより動作し得、他方、第２の階層は、ＴＤＤにより動作し得る。幾つかの例において、各階層に関するＬＴＥダウンリンク送信に関してはＯＦＤＭＡ通信信号が通信リンク１２５で使用され得、他方、各階層でのＬＴＥアップリンク送信に関しては単一キャリア周波数分割多元接続（ＳＣ−ＦＤＭＡ）通信信号が通信リンク１２５で使用され得る。ワイヤレス通信システム１００のようなシステム内での階層の実装に関する追加の詳細、および、そのようなシステムにおける通信に関連する他の特徴および機能が、以下において後続する図に関連して提供される。
【００３５】
[0048]図２は、本明細書において説明されるように、１つまたは複数のＵＥ２０６が１つまたは複数のリソースグラントおよび／またはＵＥデータを送信する通信コンポーネント１０８に応答して１つまたは複数のｅＮＢ２０８にフィードバック信号管理およびシグナリングを提供するためのフィードバックマネージャコンポーネント１０６を含み得る、より低いレイテンシーの通信を含む、ＬＴＥネットワークアーキテクチャ内のアクセスネットワーク２００の例を示した概略図である。この例において、アクセスネットワーク２００は、幾つかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であり得る。マクロｅＮＢ２０４は、各々、各々のセル２０２に割り当てられ、セル２０２内のすべてのＵＥ２０６に関するパケットコアにアクセスポイントを提供するように構成される。アクセスネットワーク２００のこの例では中央集中型のコントローラは存在しないが、代替構成では中央集中型のコントローラが使用され得る。ｅＮＢ２０４は、無線ベアラ制御と、アドミッション制御と、モビリティ制御と、スケジューリングと、セキュリティと、サービングゲートウェイへの接続性と、を含むすべての無線関連機能を担う。
【００３６】
[0049]アクセスネットワーク２００によって使用される変調および多元接続方式は、展開されている特定の電気通信規格に依存して異なり得る。ＬＴＥまたはＵＬＬ  ＬＴＥ適用例において、周波数分割複信（ＦＤＤ）および時分割複信（ＴＤＤ）の両方をサポートするためにＤＬ上ではＯＦＤＭが使用され、ＵＬ上ではＳＣ−ＦＤＭＡが使用される。後続する詳細な説明から当業者が容易に認識することになるように、本明細書において提示される様々な概念は、ＬＴＥ適用例に好適である。しかしながら、これらの概念は、他の変調および多元接続技法を使用する他の電気通信規格に容易に拡張され得る。例として、これらの概念は、エボリューション−データ・オプティテマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、規格のＣＤＭＡ２０００ファミリの一部として第３世代パートナーシッププロジェクト２（３ＧＰＰ２）によって公布されたエアインタフェース規格であり、移動局にブロードバンドインターネットアクセスを提供するためにＣＤＭＡを使用する。これらの概念はまた、ワイドバンド−ＣＤＭＡ（Ｗ−ＣＤＭＡ（登録商標））およびＴＤ−ＳＣＤＭＡのようなＣＤＭＡの他の変形を使用するユニバーサル地上無線アクセス（ＵＴＲＡ）、ＴＤＭＡを使用するグローバル移動通信システム（ＧＳＭ（登録商標））、および、ＯＦＤＭＡを使用する発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに対して拡張され得る。ＵＴＲＡ、Ｅ−ＵＴＲＡ、ＵＭＴＳ、ＬＴＥおよびＧＳＭは、３ＧＰＰ団体からの文書において記述される。ＣＤＭＡ２０００およびＵＭＢは、３ＧＰＰ２団体からの文書において記述される。使用される実際のワイヤレス通信規格および多元接続技術は、特定の適用例およびシステムに対して課せられている全体的設計制約に依存する。
【００３７】
[0050]ｅＮＢ２０４は、ＭＩＭＯ技術をサポートする複数本のアンテナを有し得る。ＭＩＭＯ技術の使用は、ｅＮＢ２０４が空間多重化、ビームフォーミング、および送信ダイバーシティをサポートするために空間領域を利用することを可能にする。空間多重化は、データの異なるストリームを同じ周波数で同時に送信するために使用され得る。データストリームは、データレートを増大させるために単一のＵＥ２０６にまたは全体的システム容量を増大させるために複数のＵＥ２０６に送信され得る。これは、各データストリームを空間的にプリコードし（例えば、振幅および位相のスケーリングを適用し）、次に、ＤＬ上で複数本の送信アンテナを通じて各々の空間的にプリコードされたストリームを送信することによって達成される。空間的にプリコードされたデータストリームは、異なる空間シグナチャを有する状態でＵＥ２０６に到達し、このことは、ＵＥ２０６の各々がそのＵＥ２０６に向けられた１つまたは複数のデータストリームを復元することを可能にする。ＵＬ上では、各ＵＥ２０６は、空間的にプリコードされたデータストリームを送信し、このことは、ｅＮＢ２０４が各々の空間的にプリコードされたデータストリームのソースを特定することを可能にする。
【００３８】
[0051]空間多重化は、チャネル状態が良好であるときに概して使用される。チャネル状態がそれよりも好ましくないときは、送信エネルギーを１つまたは複数の方向に集中させるためにビームフォーミングが使用され得る。これは、複数本のアンテナを通じての送信のためにデータを空間的にプリコードすることによって達成され得る。セルの縁部で良好なカバレッジを達成するために、単一ストリームビームフォーミング送信が送信ダイバーシティと組み合わせて使用され得る。
【００３９】
[0052]後続する詳細な説明では、アクセスネットワークの様々な態様が、ＤＬ上でＯＦＤＭをサポートするＭＩＭＯシステムに関連して説明される。ＯＦＤＭは、ＯＦＤＭシンボル内の幾つかのサブキャリアにわたってデータを変調する拡散スペクトル技法である。サブキャリアは、正確な周波数で間隔をあけて配置される。間隔をあけた配置は、受信機がサブキャリアからデータを復元することを可能にする「直交性」を提供する。時間領域において、ＯＦＤＭシンボル間干渉に対処するためにガード間隔（例えば、サイクリックプリフィックス）が各ＯＦＤＭシンボルに加えられ得る。ＵＬは、高いピーク対平均電力比（ＰＡＰＲ）を補償するためにＤＦＴ拡散ＯＦＤＭ信号の形でＳＣ−ＦＤＭＡを使用し得る。
【００４０】
[0053]図３は、幾つかの例では、本開示においてＵＥおよびネットワークノードによって利用されるＵＬＬ  ＬＴＥ  ＤＬフレーム構造と関連して利用され得る、ＬＴＥにおけるＤＬフレーム構造の例を示した概略図３００である。フレーム（１０ｍｓ）は、１０個の等しいサイズのサブフレームに分割され得る。各サブフレームは、２つの連続するタイムスロットを含み得る。２つのタイムスロットを表すためにリソースグリッドが使用され得、各タイムスロットは、リソース要素ブロックを含む。リソースグリッドは、複数のリソース要素に分割される。ＬＴＥでは、リソース要素ブロックは、周波数領域では１２の連続するサブキャリアを含み得、各ＯＦＤＭシンボル内の通常のサイクリックプリフィックスに関して、時間領域では７つの連続するＯＦＤＭシンボル、または８４のリソース要素を含み得る。拡張されたサイクリックプリフィックスに関しては、リソース要素ブロックは、時間領域では６つの連続するＯＦＤＭシンボルを含み得、および、７２のリソース要素を有する。Ｒ３０２、３０４として示されるリソース要素のうちの一部は、ＤＬ基準信号（ＤＬ−ＲＳ）を含む。ＤＬ−ＲＳは、セル固有のＲＳ（ＣＲＳ）（共通ＲＳと時々呼ばれる）３０２と、ＵＥ固有のＲＳ（ＵＥ−ＲＳ）３０４と、を含む。ＵＥ−ＲＳ３０４は、対応するＰＤＳＣＨがマッピングされるリソース要素ブロック上のみで送信される。各リソース要素によって搬送されるビットの数は、変調方式に依存する。従って、ＵＥが受信するリソース要素ブロックが多いほどおよび変調方式が高いほど、ＵＥに関するデータレートが高い。
【００４１】
[0054]図４は、幾つかの例では、本開示においてＵＥおよびネットワークノードによって利用されるＵＬＬ  ＬＴＥ  ＵＬフレーム構造およびフィードバックシグナリングと関連して利用され得るＬＴＥにおけるＵＬフレーム構造の例を示した概略図４００である。ＵＬに関する利用可能なリソース要素ブロックは、データセクションおよび制御セクションに分割され得る。制御セクションは、システム帯域幅の２つの縁部で形成され得、および、設定可能なサイズを有し得る。制御セクション内のリソース要素ブロックは、制御情報の送信のためにＵＥに割り当てられ得る。データセクションは、制御セクションに含まれていないすべてのリソース要素ブロックを含み得る。ＵＬフレーム構造は、隣接するサブキャリアを含むデータセクションをもたらし、それは、データセクション内のすべての隣接するサブキャリアが単一のＵＥに割り当てられることを可能にし得る。
【００４２】
[0055]ＵＥには、ｅＮＢに制御情報を送信するために制御セクション内のリソース要素ブロック４１０ａ、４１０ｂが割り当てられ得る。ＵＥにはまた、ｅＮＢにデータを送信するためにデータセクション内のリソース要素ブロック４２０ａ、４２０ｂが割り当てられ得る。ＵＥは、制御セクション内の割り当てられたリソース要素ブロック上で物理ＵＬ制御チャネル（ＰＵＣＣＨ）内で制御情報を送信し得る。ＵＥは、データセクション内の割り当てられたリソース要素ブロック上で物理ＵＬ共有チャネル（ＰＵＳＣＨ）内でデータのみまたはデータと制御情報の両方を送信し得る。ＵＬ送信は、サブフレームの両方のスロットにまたがり得、および、周波数間でホップし得る。
【００４３】
[0056]最初のシステムアクセスを実行しおよび物理ランダムアクセスチャネル（ＰＲＡＣＨ）４３０内でＵＬ同期化を達成するために一組のリソース要素ブロックが使用され得る。ＰＲＡＣＨ４３０は、ランダムシーケンスを搬送し、ＵＬデータ／シグナリングは搬送することができない。各ランダムアクセスプリアンブルは、６つの連続するリソース要素ブロックに対応する帯域幅を占有する。開始周波数は、ネットワークによって指定される。すなわち、ランダムアクセスプリアンブルの送信は、幾つかの時間および周波数リソースに制限される。ＰＲＡＣＨに関する周波数ホッピングは存在しない。ＰＲＡＣＨ試行は、単一のサブフレーム（１ｍｓ）内でまたは一連の幾つかの隣接するサブフレーム内で搬送され、ＵＥは、１つのフレーム（１０ｍｓ）当たり単一のＰＲＡＣＨ試行のみを行うことができる。
【００４４】
[0057]図５は、本明細書において説明されるように、ＬＴＥおよびフィードバック信号管理が実装され得るＵＬＬ  ＬＴＥにおけるユーザおよび制御プレーンに関する無線プロトコルアーキテクチャの例を示した概略図５００である。ＵＥおよびｅＮＢに関する無線プロトコルアーキテクチャは、３つの層、すなわち、層１、層２、および層３とともに示される。層１（Ｌ１層）は、最低層であり、様々な物理層信号処理機能を実装する。Ｌ１層は、本明細書では物理層５０６と呼ばれる。層２（Ｌ２層）５０８は、物理層５０６の上方であり、物理層５０６を通じてのＵＥとｅＮＢとの間のリンクを担う。
【００４５】
[0058]ユーザプレーンにおいて、Ｌ２層５０８は、メディアアクセス制御（ＭＡＣ）副層５１０と、無線リンク制御（ＲＬＣ）副層５１２と、パケットデータコンバージェンスプロトコル（ＰＤＣＰ）５１４副層と、を含み、それらは、ネットワーク側のｅＮＢで終端される。示されていないが、ＵＥは、ネットワーク側で終端されるネットワーク層（例えば、ＩＰ層）と、接続の他端（例えば、遠端のＵＥ、サーバ、等）で終端されるアプリケーション層と、を含むＬ２層５０８上方の幾つかの上層を有し得る。
【００４６】
[0059]ＰＤＣＰ副層５１４は、異なる無線ベアラと論理チャネルとの間の多重化を提供する。ＰＤＣＰ副層５１４はまた、無線送信オーバーヘッドを低減させるための上層データパケットに関するヘッダ圧縮、データパケットを符号化することによるセキュリティ、および、ｅＮＢ間のＵＥに関するハンドオーバーサポートを提供する。ＲＬＣ副層５１２は、上層データパケットの分割と再組み立て、失われたデータパケットの再送信、および、ハイブリッド自動再送要求（ＨＡＲＱ）に起因する順序外受信を補償するためのデータパケットの順序再設定を提供する。ＭＡＣ副層５１０は、論理チャネルとトランスポートチャネルとの間の多重化を提供する。ＭＡＣ副層５１０はまた、ＵＥ間で１つのセル内の様々な無線リソース（例えば、リソース要素ブロック）を割り振ることを担う。ＭＡＣ副層５１０はまた、ＨＡＲＱ動作を担う。
【００４７】
[0060]制御プレーンにおいて、ＵＥおよびｅＮＢに関する無線プロトコルアーキテクチャは、物理層５０６およびＬ２層５０８の場合と実質的に同じであり、制御プレーンに関してはヘッダ圧縮が存在しないことを除く。制御プレーンはまた、層３（Ｌ３層）内の無線リソース制御（ＲＲＣ）副層５１６を含む。ＲＲＣ副層５１６は、無線リソース（例えば、無線ベアラ）を入手することおよびｅＮＢとＵＥとの間でのＲＲＣシグナリングを使用してより下位の層を構成することを担う。
【００４８】
[0061]図６は、本明細書において説明されるように、ＵＥ６５０が１つまたは複数のリソースグラントおよび／またはＵＥデータを送信する通信コンポーネント１０８に応答してｅＮＢ６１０にフィードバック信号管理およびシグナリングを提供するためのフィードバックマネージャコンポーネント１０６を含み得る、より低いレイテンシーの通信を含む、アクセスネットワークにおいてＵＥ６５０と通信状態にあるｅＮＢ６１０のブロック図である。ＤＬでは、コアネットワークからの上層パケットがコントローラ／プロセッサ６７５に提供される。コントローラ／プロセッサ６７５は、Ｌ２層の機能を実装する。ＤＬでは、コントローラ／プロセッサ６７５は、ヘッダ圧縮、符号化、パケット分割と順序再設定、論理チャネルとトランスポートチャネルとの間での多重化、および、様々な優先度メトリックに基づいたＵＥ６５０への無線リソース割り振りを提供する。コントローラ／プロセッサ６７５はまた、ＨＡＲＱ動作、失われたパケットの再送信、およびＵＥ６５０へのシグナリングを担う。
【００４９】
[0062]送信（ＴＸ）プロセッサ６１６は、Ｌ１層（例えば、物理層）に関する様々な信号処理機能を実装する。信号処理機能は、ＵＥ６５０における前方誤り訂正（ＦＥＣ）を容易にするためのコーディングおよびインターリービングと、様々な変調方式（例えば、２位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づいて信号点配置にマッピングすることと、を含む。コーディングおよび変調されたシンボルは、平行するストリームに分割される。各ストリームは、ＯＦＤＭサブキャリアにマッピングされ、時間および／または周波数領域において基準信号（例えば、パイロット）と多重化され、次に、時間領域ＯＦＤＭシンボルストリームを搬送する物理チャネルを生成するために逆高速フーリエ変換（ＩＦＦＴ）を使用してまとめて結合される。ＯＦＤＭストリームは、複数の空間ストリームを生成するために空間的にプリコードされる。チャネル推定器６７４からのチャネル推定値は、コーディングおよび変調方式を決定するために、および空間的処理のために使用され得る。チャネル推定値は、ＵＥ６５０によって送信された基準信号および／またはチャネル状態フィードバックから導き出され得る。各空間ストリームは、別個の送信機６１８ＴＸを介して異なるアンテナ６２０に提供される。各送信機６１８ＴＸは、送信のために各々の空間ストリームとともにＲＦキャリアを変調する。
【００５０】
[0063]ＵＥ６５０において、各受信機６５４ＲＸは、その各々のアンテナ６５２を通じて信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１層の様々な信号処理機能を実装する。ＲＸプロセッサ６５６は、ＵＥ６５０に向けられたあらゆる空間ストリームを復元するために情報に関する空間処理を行う。複数の空間ストリームがＵＥ６５０向けである場合は、それらは、ＲＸプロセッサ６５６によって単一のＯＦＤＭシンボルストリームに結合され得る。次に、ＲＸプロセッサ６５６は、高速フーリエ変換（ＦＦＴ）を使用してＯＦＤＭシンボルストリームを時間領域から周波数領域に変換する。周波数領域信号は、ＯＦＤＭ信号の各サブキャリアに関して別々のＯＦＤＭシンボルストリームを備える。各サブキャリア上のシンボル、および基準信号は、ｅＮＢ６１０によって送信される最も可能性が高い信号点配置点を決定することによって復元および復調される。これらのソフト決定（soft decision）は、チャネル推定器６５８によって計算されたチャネル推定値に基づき得る。次に、ソフト決定は、物理チャネル上でｅＮＢ６１０によって最初に送信されたデータおよび制御信号を復元するために復号およびデインターリーブされる。次に、データおよび制御信号は、コントローラ／プロセッサ６５９に提供される。
【００５１】
[0064]コントローラ／プロセッサ６５９は、Ｌ２層を実装する。コントローラ／プロセッサは、プログラムコードおよびデータを格納するメモリ６６０と関連させることができる。メモリ６６０は、コンピュータ可読媒体と呼ばれ得る。ＵＬにおいて、コントローラ／プロセッサ６５９は、トランスポートチャネルと論理チャネルとの間での多重化解除、パケット再組み立て、復号、ヘッダ圧縮解除、コアネットワークからの上層パケットを復元するための制御信号処理を提供する。次に、上層パケットは、Ｌ２層上方のすべてのプロトコル層を表す、データシンク６６２に提供される。様々な制御信号もまた、Ｌ３処理のためにデータシンク６６２に提供され得る。コントローラ／プロセッサ６５９はまた、ＨＡＲＱ動作をサポートするための肯定応答（ＡＣＫ）および／または否定応答（ＮＡＣＫ）プロトコルを使用した誤り検出を担う。
【００５２】
[0065]ＵＬにおいて、コントローラ／プロセッサ６５９に上層パケットを提供するためにデータソース６６７が使用される。データソース６６７は、Ｌ２層の上方のすべてのプロトコル層を表す。ｅＮＢ６１０によるＤＬ送信に関連して説明される機能と同様に、コントローラ／プロセッサ６５９は、ヘッダ圧縮、符号化、パケット分割と順序再設定、およびｅＮＢ６１０による無線リソース割り振りに基づく論理チャネルとトランスポートチャネルとの間での多重化を提供することによってユーザプレーンおよび制御プレーンに関するＬ２層を実装する。コントローラ／プロセッサ６５９はまた、ＨＡＲＱ動作、失われたパケットの再送信、およびｅＮＢ６１０へのシグナリングを担う。
【００５３】
[0066]ｅＮＢ６１０によって送信された基準信号またはフィードバックからチャネル推定器６５８によって導き出されたチャネル推定値は、該当するコーディングおよび変調方式を選択するために、および空間処理を容易にするためにＴＸプロセッサ６６８によって使用され得る。ＴＸプロセッサ６６８によって生成された空間ストリームは、別々の送信機６５４ＴＸを介して異なるアンテナ６５２に提供される。各送信機６５４ＴＸは、送信のために各々の空間ストリームとともにＲＦキャリアを変調する。
【００５４】
[0067]ＵＬ送信は、ＵＥ６５０における受信機機能に関連して説明される方法と同様のそれでｅＮＢ６１０において処理される。各受信機６１８ＲＸは、それの各々のアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１層を実装し得る。
【００５５】
[0068]コントローラ／プロセッサ６７５は、Ｌ２層を実装する。コントローラ／プロセッサ６７５は、プログラムコードおよびデータを格納するメモリ６７６と関連させることができる。メモリ６７６は、コンピュータ可読媒体と呼ばれ得る。ＵＬにおいて、コントローラ／プロセッサ６７５は、ＵＥ６５０からの上層パケットを復元するためにトランスポートチャネルと論理チャネルとの間での多重化解除、パケット再組み立て、復号、ヘッダ圧縮解除、制御信号処理を提供する。コントローラ／プロセッサ６７５からの上層パケットは、コアネットワークに提供され得る。コントローラ／プロセッサ６７５はまた、ＨＡＲＱ動作をサポートするためのＡＣＫおよび／またはＮＡＣＫプロトコルを使用した誤り検出を担う。
【００５６】
[0069]図７を参照し、フィードバック信号管理が実装され得る図１のＵＥ１１５−ａの１つまたは複数のコンポーネントが、フィードバックマネージャコンポーネント１０６に関して示される。ＵＥ１１５−ａの１つまたは複数のコンポーネントのうちの各々は、ソフトウェア、ハードウェア、ファームウェア、またはそれらの任意の組み合わせとして実装され得ることが注記されるべきである。上記のように、ＵＥ１１５−ａまたはそのプロセッサ７５０は、概して、１つまたは複数のチャネル上でアクセスポイントまたはネットワークエンティティ１０５からの１つまたは複数の信号１４０に関してモニタリングするためにフィードバックマネージャコンポーネント１０６を動作させ、および、１つまたは複数のグラントが受信されるかどうかおよび／またはＵＥデータが受信されるかどうかを決定する。例えば、ＵＥ１１５−ａは、アクセスポイントまたはネットワークエンティティ１０５によっても知られているフィードバックルール７１２を実行し得、フィードバックルール７１２は、フィードバック指示７０８に関するフィードバック値７１０、例えば、ＡＣＫまたはＮＡＣＫまたはＤＴＸ信号、および、フィードバック指示７０８を送信するために使用するためのリソースを要求する。フィードバックルール７１２は、フィードバック指示およびフィードバックリソースを決定することになる１つまたは複数のルールの任意の組み合わせであり得ることが注記されるべきである。これらの決定に応答して、ＵＥ１１５−ａは、受信された１つまたは複数のグラントおよび／またはＵＥデータに基づいてフィードバック指示信号１４２を生成して特定のリソースで送信するためにフィードバックマネージャコンポーネント１０６を動作させ、ここで、フィードバック指示信号１４２は、フィードバック指示７０８および利用される送信リソースの組み合わせによって定義される。従って、ＵＥ１１５−ａによるおよび特定のリソースでの特定のフィードバック値７１０を有するフィードバック指示信号１４２の送信は、１つまたは複数のグラントが受信されたかどうかおよびＵＥデータが受信されたかどうかに関する明示および暗黙のシグナリングの組み合わせをアクセスポイントまたはネットワークエンティティ１０５に提供する。
【００５７】
[0070]より具体的には、例えば、一態様において、通信コンポーネント１０８の動作に基づいてアクセスポイントまたはネットワークエンティティ１０５から送信された１つまたは複数の信号１４０は、まれに生じ得および相対的にまれに変化するパラメータを割り当て得る、段階０ＤＬグラントともに呼ばれる、最初のまたは第１の段階のダウンリンク（ＤＬ）グラントを含み得る。例えば、第１段階ＤＬグラントは、リソース上での通信のための変調コーディング方式（ＭＣＳ）パラメータ、プリコーディングパラメータ、および電力制御パラメータ、等のうちの１つまたは複数のような、ただしそれに限定されない、パラメータを割り当て得る。さらに、例えば、実際のＤＬリソースのような、ただしそれに限定されない、（第１段階ＤＬグラントのパラメータと比較して）相対的により頻繁に変化するＵＬ通信パラメータを割り当て得る、段階１ＤＬグラントとも呼ばれる、後続するまたは第２の段階のＤＬグラントを、アクセスポイントまたはネットワークエンティティ１０５は送信し得、ＵＥ１１５−ａは受信し得る。さらに、例えば、実際のＵＬ送信リソースのような、ただしそれに限定されない、（第１段階ＤＬグラントのパラメータと比較して）相対的にまれに変化するＵＬ通信パラメータを割り当て得る、段階０ＤＬグラントとも呼ばれる、最初のまたは第１の段階のアップリンク（ＵＬ）グラントを、アクセスポイントまたはネットワークエンティティ１０５は送信し得、ＵＥ１１５−ａは受信し得る。さらに、受信された第２段階ＤＬグラントに基づき、許可されたリソースでＵＥデータを、アクセスポイントまたはネットワークエンティティ１０５は送信し得、ＵＥ１１５−ａは受信し得る。
【００５８】
[0071]さらに、例えば、ＵＥ１１５−ａは、１つまたは複数の信号１４０および／または１つまたは複数のリソースグラントおよび／または１つまたは複数のＵＥデータの受信に関して１つまたは複数のダウンリンクチャネルをモニタリングするためにチャネルモニタリングコンポーネント７０２を動作させ得る。例えば、チャネルモニタリングコンポーネント７０２は、ＵＥ１１５−ａの受信機またはトランシーバと連繋して動作し、例えば、あるスケジュールにより、ただしそれに限定されず、１つまたは複数の信号１４０に関してリッスン（listen）または測定し得る。
【００５９】
[0072]さらに、例えば、ＵＥ１１５−ａは、１つまたは複数のリソースおよび／またはＵＥデータが受信されるかどうかを決定するために、および、フィードバックルール７１２によりフィードバック指示７０８を生成するために、フィードバック指示生成器７０４を動作させ得る。一態様において、例えば、フィードバック指示生成器７０４は、チャネルモニタリングコンポーネント７０２と通信状態にありおよびモニタリングされた１つまたは複数の信号１４０に基づいて１つまたは複数のリソースおよび／またはＵＥデータの受信されたまたは受信されない状態を決定することができる受信状態決定器７０６を含み得る。受信状態決定器７０６のより詳細な例が以下において図８に関して論じられる。従って、受信状態決定器７０６によって決定された状態に基づいておよびフィードバックルール７１２を実行することに基づいて、フィードバック指示生成器７０４は、特定のフィードバック値７１０を有するフィードバック指示７０８を生成することができる。
【００６０】
[0073]さらに、例えば、ＵＥ１１５−ａは、フィードバック指示７０８を入手してフィードバック指示信号１４２の送信のための特定のリソースを決定するためにフィードバック信号送信機７１４を動作させ得る。一態様において、例えば、フィードバック信号送信機７１４は、フィードバック指示生成器７０４と通信状態にあり、フィードバック指示７０８を受信するかまたはその他の方法で入手する。さらに、一態様において、例えば、フィードバック信号送信機７１４は、リソース決定器７１６を含み得、それは、ＵＥ１１５−ａにおいてどのようなリソースグラントが受信されたかを特定する情報を受信するまたはその他の方法で入手するためにチャネルモニタリングコンポーネントおよび／またはフィードバック指示生成器７０４と通信状態にある。従って、この入力に基づいて、リソース決定器７１６は、フィードバック指示７０８が送信されるべき特定のリソースを決定するためにフィードバックルール７１２を実行し得る。次に、フィードバック信号送信機７１４は、フィードバック指示信号１４２を送信し、それは、フィードバック指示７０８を含み、送信のために使用される特定のリソースによってさらに定義される。
【００６１】
[0074]幾つかの態様において、ＵＥ１１５−ａはまた、移動局、加入者局、モバイルユニット、加入者ユニット、無線ユニット、リモートユニット、モバイルデバイス、無線デバイス、無線通信デバイス、リモートデバイス、モバイル加入者局、アクセス端末、モバイル端末、無線端末、遠隔端末、ハンドセット、端末、ユーザエージェント、モバイルクライアント、クライアント、または何らかの他の適切な用語と呼ばれ得る。
【００６２】
[0075]さらに、一態様において、ＵＥ１１５−ａは、無線送信物を受信および送信するための１つまたは複数のトランシーバ７６０を含み得る。例えば、１つまたは複数のトランシーバ７６０は、異なる種類の無線信号、例えば、セルラー、Ｗｉ−Ｆｉ、Ｂｌｕｅｔｏｏｔｈ（登録商標）、ＧＰＳ、等、を受信するように構成され得る。例えば、一態様において、１つまたは複数のトランシーバ７６０は、例えば、１つまたは複数の電力増幅器７６３、１つまたは複数のバンド固有フィルタ７６７、および１本または複数本のアンテナ７６４によって定義された無線周波数（ＲＦ）フロントエンド７６１と通信状態にあり得るまたは接続され得る。例えば、１つまたは複数のトランシーバ７６０は、受信機を含み得、および、１つまたは複数のチャネル上でネットワークエンティティ１０５−ａの通信コンポーネント１０８から信号を受信するために１つまたは複数のプロセッサ７５０によって実行可能なハードウェアおよび／またはソフトウェアコードを含み得る。トランシーバ７６０は、送信機をさらに含み得、および、ネットワークエンティティ１０５−ａにフィードバック指示７０８を送信するために１つまたは複数のプロセッサ７５０によって実行可能なハードウェアおよび／またはソフトウェアコードを含み得る。
【００６３】
[0076]図８を参照し、一態様において、受信状態決定器７０６の１つの限定しない例は、第１段階アップリンクグラント決定器８０２と、第１段階ダウンリンクグラント決定器８０４と、第２段階ダウンリンクグラント決定器８０６と、ダウンリンクデータ決定器８０８と、を含み得、それらの各々は、ＵＥ１１５−ａにおいてソフトウェア、ハードウェア、ファームウェア、またはそれらの任意の組み合わせとして実装され得る。
【００６４】
[0077]一態様において、例えば、第１段階アップリンクグラント決定器８０２は、ＵＥがアクセスポイントまたはネットワークエンティティ１０５から第１段階アップリンクグラントを受信したかどうかを決定するように構成され得る。例えば、第１段階アップリンクグラント決定器８０２は、ＵＥ１１５−ａがネットワークのネットワークエンティティから段階０ＵＬグラントを受信したかどうかを決定し得る。従って、例えば、第１段階ダウンリンクグラント決定器８０４は、ＵＥ１１５−ａがアクセスポイントまたはネットワークエンティティ１０５から第１段階ダウンリンクグラントを受信したかまたは受信しなかったかを示す値を有する第１の状態を決定するように構成され得る。
【００６５】
[0078]同様に、例えば、第２段階ダウンリンクグラント決定器８０６は、ＵＥ１１５−ａがアクセスポイントまたはネットワークエンティティ１０５から第２段階ダウンリンクグラントを受信したかまたは受信しなかったかを示す値を有する第２の状態を決定するように構成され得る。例えば、第２段階ダウンリンクグラント決定器８０６は、ＵＥ１１５−ａがアクセスポイントまたはネットワークエンティティ１０５から段階１ＤＬグラントを受信したかどうかを決定し得る。
【００６６】
[0079]さらに、ダウンリンクデータ決定器８０８は、ＵＥ１１５−ａがダウンリンクデータを受信したかまたは受信しなかったかおよびダウンリンクデータがＵＥ１１５−ａによって成功裏に復号されるかどうかを示す値を有する第３の状態を決定するように構成され得る。例えば、ダウンリンクデータ決定器８０８は、ＵＥ１１５−ａが許可されたＤＬリソースにおいてＵＥデータを受信したかどうかおよびＵＥデータがＵＥ１１５−ａによって成功裏に復号される、例えばＣＲＣ検査に合格する、かどうかを決定し得る。
【００６７】
[0080]図９を参照し、一態様において、特に、例えば、低レイテンシー通信環境において、ＵＥによって受信されたダウンリンク通信に関するフィードバックを提供する方法９００の１つの限定しない例。方法９００は、例えば、本明細書において説明されるように、フィードバックマネージャコンポーネント１０６の実行を介してＵＥ１１５−ａによって動作され得る。態様は、本明細書において説明される動作または機能を実行し得る１つまたは複数のコンポーネントおよび１つまたは複数の方法に関連して説明されることが注記されるべきである。以下において説明される動作は、特定の順序でおよび／または１つのコンポーネント例によって実行されるとして提示されるが、動作の順序および動作を実行するコンポーネントは、実装に依存して変更され得ることが理解されるべきである。さらに以下の動作または機能は、特別にプログラミングされたプロセッサによって、特別にプログラミングされたソフトウェアを実行するプロセッサまたはコンピュータ可読媒体によって、または、説明される動作または機能を実行することが可能なハードウェアコンポーネントおよび／またはソフトウェアコンポーネントのいずれかの他の組み合わせによって実行され得ることが理解されるべきである。
【００６８】
[0081]ブロック９０２において、方法９００は、１つまたは複数のチャネル上でネットワークエンティティからの信号に関してモニタリングすることを含む。一態様において、例えば、ＵＥ１１５−ａは、フィードバックマネージャコンポーネント１０６および／または１つまたは複数のチャネル上でネットワークエンティティからの信号に関してモニタリングするように構成されたチャネルモニタリングコンポーネント７０２を含み得る。例えば、信号は、１つまたは複数のリソースグラントおよび／または１つまたは複数のＵＥデータを含み得る１つまたは複数の信号１４０であり得る。さらに、１つまたは複数のリソースグラントは、複数の異なる段階で各々送信された１つまたは複数のグラントを含み得る。例えば、グラントは、１つのリソースで送信される最初のまたは第１の段階と、異なるリソースで送信される後続するまたは第２の段階と、を含み得る。例えば、そのようなグラントは、段階０ＤＬグラントと段階１ＤＬグラント、および／または段階０ＵＬグラントを含み得る。幾つかの態様において、そのようなリソースグラントおよびＵＥデータは、低レイテンシー通信構造により送信され得、例えば、ここで、通信のＴＴＩは、１ｍｓまたは１つのＬＴＥサブフレーム未満であり得、および、幾つかの場合は、１つのシンボルという小ささであり得る。ＵＥ１１５−ａは、信号に関してモニタリングすることまたは１つのサブフレーム未満の送信時間間隔（ＴＴＩ）でネットワークエンティティにフィードバック指示を送信することのうちの少なくとも１つを実行し得る。
【００６９】
[0082]ブロック９０４において、方法９００は、モニタリングに基づいて、１つまたは複数のチャネル上で１つまたは複数のグラントが受信されるかどうかおよびＵＥデータが受信されるかどうかを決定することを含む。一態様において、例えば、ＵＥ１１５−ａは、フィードバックマネージャコンポーネント１０６および／またはフィードバック指示生成器７０４および／または、モニタリングに基づいて、１つまたは複数のチャネル上で１つまたは複数のグラントが受信されるかどうかおよび／またはＵＥデータが受信されるかどうかを決定するように構成された受信状態決定器７０６を含み得る。
【００７０】
[0083]ブロック９０６において、方法９００は、フィードバックルールによりおよび１つまたは複数のグラントおよびＵＥデータが受信されるかどうかに基づいて決定されたフィードバック値を有するフィードバック指示を生成することを含む。一態様において、例えば、ＵＥ１１５−ａは、フィードバックマネージャコンポーネント１０６および／またはフィードバックルールによりおよび１つまたは複数のグラントおよびＵＥデータが受信されるかどうかに基づいて決定されたフィードバック値を有するフィードバック指示を生成するように構成されたフィードバック指示生成器７０４を含み得る。幾つかの例において、ＵＥ１１５−ａは、信号に関してモニタリングすることまたは１つのサブフレーム未満の送信時間間隔（ＴＴＩ）でネットワークエンティティにフィードバック指示を送信することのうちの少なくとも１つを実行し得る。
【００７１】
[0084]ブロック９０８において、方法９００は、フィードバックルールによりおよび１つまたは複数のグラントおよびＵＥデータが受信されるかどうかに基づいて決定されたリソースでネットワークにフィードバック指示を送信することを含む。一態様において、例えば、ＵＥ１１５−ａは、フィードバックマネージャコンポーネント１０６および／またはフィードバックルールによりおよび１つまたは複数のグラントおよびＵＥデータが受信されるかどうかに基づいて決定されたリソースでネットワークにフィードバック指示を送信するように構成されたフィードバック信号送信機７１４を含み得る。
【００７２】
[0085]図１０を参照し、方法９００の一態様およびフィードバックマネージャコンポーネント１０６の一態様の動作において使用されるフィードバックルール７１２（または、フィードバックルール７１２の一部）の一例は、第１段階アップリンクグラント、例えば、段階０ＵＬグラント、が受信されないという決定に応答してフィードバック信号管理の態様を定義するルールの流れを含む。すなわち、ＵＥ１１５−ａおよびフィードバックマネージャコンポーネント１０６は、第１段階アップリンクグラントがＵＥ１１５−ａによって受信されないと決定した時点でフィードバックルール７１２のこのバージョンを利用し得る。
【００７３】
[0086]１００２において、フィードバックルール７１２によるフィードバックマネージャコンポーネント１０６は、ＵＥ１１５−ａがアクセスポイントまたはネットワークエンティティ１０５から第１段階ダウンリンクグラントを受信したかどうかを決定し得る。ＵＥ１１５−ａが第１段階ダウンリンクグラントを受信した場合は、ルールの流れは、１０１６に続き得る。ＵＥ１１５−ａが第１段階ダウンリンクグラントを受信しなかった場合は、ルールの流れは、１００４に続き得る。
【００７４】
[0087]１００４および１０１６において、フィードバックルール７１２によるフィードバックマネージャコンポーネント１０６は、ＵＥ１１５−ａがアクセスポイントまたはネットワークエンティティ１０５から第２段階ダウンリンクグラントを受信したかどうかを決定し得る。ＵＥ１１５−ａが第２段階ダウンリンクグラントを受信した場合は、ルールの流れは、１０１２または１０１８にそれぞれ続き得る。ＵＥ１１５−ａが第２段階ダウンリンクグラントを受信しなかった場合は、ルールの流れは、１００６または１０２４にそれぞれ続き得、それは、ＣＲＳの不具合に起因して復号が生じることができないことを示し、従って、ルールの流れは、１００８および１０２６にそれぞれ進む。
【００７５】
[0088]１００８において、フィードバックルール７１２によるフィードバックマネージャコンポーネント１０６は、ＤＴＸ信号を送信することを決定し、それは、段階０ＵＬグラントが受信されなかったこと、段階０ＤＬグラントが受信されなかったこと、および、段階１ＤＬグラントが受信されず（従って、復号が行われていない）ことを示す。
【００７６】
[0089]１０２６において、フィードバックルール７１２によるフィードバックマネージャコンポーネント１０６は、第１段階ダウンリンクグラント（例えば、段階０ＤＬグラント）によって許可されてそれにマッピングされたリソースを通じてＮＡＣＫを送信することを決定し、それは、段階０ＵＬグラントが受信されなかったこと、段階０ＤＬグラントが受信されたこと、しかしなから段階１ＤＬグラントが受信されなかった（従って、復号が生じていない）ことを示す。
【００７７】
[0090]１０１２および１０１８において、フィードバックルール７１２によるフィードバックマネージャコンポーネント１０６は、ＵＥ１１５−ａがダウンリンクデータを受信したかどうかおよびダウンリンクデータがＵＥ１１５−ａによって成功裏に復号されるかどうかを決定し得る。ＵＥ１１５−ａがダウンリンクデータを受信し、ダウンリンクデータがＵＥ１１５−ａによって成功裏に復号される場合は、ルールの流れは、１０１０または１０２２にそれぞれ続き得る。ＵＥ１１５−ａがダウンリンクデータを受信しなかったかまたはＵＥ１１５−ａがダウンリンクデータを受信したがダウンリンクがＵＥ１１５−ａによって成功裏に復号されない場合は、ルールの流れは、１０１４または１０２０にそれぞれ続き得る。
【００７８】
[0091]１０１４において、フィードバックルール７１２によるフィードバックマネージャコンポーネント１０６は、ＤＴＸ信号を送信することを決定し得、それは、段階０ＵＬグラントが受信されなかったこと、段階０ＤＬグラントが受信されなかったこと、段階１ＤＬグラントが受信されたがデータが適切に復号されなかったことを示す
[0092]１０２０において、フィードバックルール７１２によるフィードバックマネージャコンポーネント１０６は、第１段階ダウンリンクグラント（例えば、段階０ＤＬグラント）によって許可されてそれにマッピングされたリソースを通じてＮＡＣＫを送信することを決定し、それは、段階０ＵＬグラントが受信されなかったこと、段階０ＤＬグラントが受信されたこと、しかしながら段階１ＤＬグラントが受信されず復号されなかった（例えば、ＣＲＣ検査が不合格である）ことを示す。
【００７９】
[0093]１０１０および１０２２において、フィードバックルール７１２によるフィードバックマネージャコンポーネント１０６は、第２段階ダウンリンクグラント（例えば、段階１ＤＬグラント）によって許可またはマッピングされたリソースを通じてＡＣＫを送信することを決定し得る。従って、１０１０におけるＡＣＫは、段階０ＵＬグラントが受信されなかったこと、段階０ＤＬグラントが受信されなかったこと、段階１ＤＬグラントが受信されたこと、およびデータが適切に復号された（例えば、ＣＲＣ検査に合格した）ことを示す。さらに、１０２２におけるＡＣＫは、段階０ＵＬグラントが受信されなかったこと、段階０処理グラントが受信されたこと、段階１ＤＬグラントが受信されたこと、およびデータが適切に復号された（例えば、ＣＲＣ検査に合格した）ことを示す。
【００８０】
[0094]図１１を参照し、方法９００の一態様およびフィードバックマネージャコンポーネント１０６の一態様の動作において使用されるフィードバックルール７１２（または、フィードバックルール７１２の一部）の一例は、第１段階アップリンクグラント（例えば、段階０ＵＬグラント）が受信されるという決定に応答してフィードバック信号管理の態様を定義するルールの流れを含む。すなわち、ＵＥ１１５−ａおよびフィードバックマネージャコンポーネント１０６は、第１段階アップリンクグラントがＵＥ１１５−ａによって受信されると決定した時点でフィードバックルール７１２のこのバージョンを利用し得る。
【００８１】
[0095]１１０２において、フィードバックルール７１２によるフィードバックマネージャコンポーネント１０６は、ＵＥ１１５−ａがアクセスポイントまたはネットワークエンティティ１０５から第１段階ダウンリンクグラントを受信したかどうかを決定し得る。ＵＥ１１５−ａが第１段階ダウンリンクグラントを受信した場合は、ルールの流れは、１１１６に続き得る。ＵＥ１１５−ａが第１段階ダウンリンクグラントを受信しなかった場合は、ルールの流れは、１１０４に続き得る。
【００８２】
[0096]１１０４および１１１６において、フィードバックルール７１２によるフィードバックマネージャコンポーネント１０６は、ＵＥ１１５−ａがアクセスポイントまたはネットワークエンティティ１０５から第２段階ダウンリンクグラントを受信したかどうかを決定し得る。ＵＥ１１５−ａが第２段階ダウンリンクグラントを受信した場合は、ルールの流れは、１１１２または１１１８にそれぞれ続き得る。ＵＥ１１５−ａが第２段階ダウンリンクグラントを受信しなかった場合は、ルールの流れは、１１０６または１１２４にそれぞれ続き得、それは、ＣＲＳの不具合に起因して復号が生じることができないことを示し、従って、ルールの流れは、１１０８および１１２６にそれぞれ進む。
【００８３】
[0097]１１０８において、フィードバックルール７１２によるフィードバックマネージャコンポーネント１０６は、第１段階アップリンクグラント（例えば、段階０ＤＬグラント）によって許可されてそれにマッピングされたリソースを通じてＮＡＣＫを送信することを決定し、それは、段階０ＵＬグラントが受信されたこと、段階０ＤＬグラントが受信されなかったこと、段階１ＤＬグラントが受信されず、従って復号が生じていないことを示す。
【００８４】
[0098]１１２６において、フィードバックルール７１２によるフィードバックマネージャコンポーネント１０６は、第１段階ダウンリンクグラント（例えば、段階０ＤＬグラント）によって許可されてそれにマッピングされたリソースを通じてＮＡＣＫを送信することを決定し、それは、段階０ＵＬグラントが受信されたこと、段階０ＤＬグラントが受信されたこと、しかしながら段階１ＤＬグラントが受信されず、従って復号が生じていないことを示す。
【００８５】
[0099]１１１２および１１１８において、フィードバックルール７１２によるフィードバックマネージャコンポーネント１０６は、ＵＥ１１５−ａがダウンリンクデータを受信したかどうかおよびダウンリンクデータがＵＥ１１５−ａによって成功裏に復号されるかどうかを決定し得る。ＵＥ１１５−ａがダウンリンクデータを受信し、ダウンリンクデータがＵＥ１１５−ａによって成功裏に復号される場合は、ルールの流れは、１１１０または１１２２にそれぞれ続き得る。ＵＥ１１５−ａがダウンリンクデータを受信しなかったかまたはＵＥ１１５−ａがダウンリンクデータを受信したがダウンリンクデータがＵＥ１１５−ａによって成功裏に復号されない場合は、ルールの流れは、１１１４または１１２０にそれぞれ続き得る。
【００８６】
[00100]１１１４において、フィードバックルール７１２によるフィードバックマネージャコンポーネント１０６は、第１段階アップリンクグラント（例えば、段階０ＵＬグラント）によって許可またはマッピングされたリソースを通じてＮＡＣＫメッセージを送信することを決定し得、それは、段階０ＵＬグラントが受信されたこと、段階０ＤＬグラントが受信されなかったこと、段階１ＤＬグラントが受信されたが復号が生じていない（例えば、ＣＲＣ検査不合格）であることを示す。
【００８７】
[00101]１１２０において、フィードバックルール７１２によるフィードバックマネージャコンポーネント１０６は、第１段階ダウンリンクグラント（例えば、段階０ＤＬグラント）によって許可されてそれにマッピングされたリソースを通じてＡＣＫメッセージを送信することを決定し得、それは、段階０ＵＬグラントが受信されたこと、段階０ＤＬグラントが受信されたこと、段階１ＤＬグラントが受信されたが復号が生じていない（例えば、ＣＲＣ検査不合格）ことを示す。
【００８８】
[00102]１１１０および１１２２において、フィードバックルール７１２によるフィードバックマネージャコンポーネント１０６は、第１段階アップリンクグラント（例えば、ＵＬ段階０グラント）によって許可されてそれにマッピングされたリソースを通じてネットワークにＡＣＫメッセージを送信することを決定し得る。従って、１１１０におけるＡＣＫは、段階０ＵＬグラントが受信されたこと、段階０ＤＬグラントが受信されなかったこと、段階１ＤＬグラントが受信されたこと、およびデータが適切に復号された（例えば、ＣＲＣ検査に合格した）ことを示す。さらに、１１２２におけるＡＣＫは、段階０ＵＬグラントが受信されたこと、段階０ＤＬグラントが受信されたこと、段階１ＤＬグラントが受信されたこと、およびデータが適切に復号された（例えば、ＣＲＣ検査に合格した）ことを示す。
【００８９】
[00103]図１２は、本明細書において説明されるようにＵＥ１１５−ａおよび／またはフィードバックマネージャコンポーネント１０６を実装し得る例示的な装置１２０２内の異なるモジュール／手段／コンポーネント間でのデータフローを示した概念的なデータフロー図１２００である。装置１２０２は、（例えば、アクセスポイントまたはネットワークエンティティ１０５によって装置１１０２に送信された）信号１４０を受信するように構成される受信機モジュール１２０４と、フィードバックマネージャコンポーネント１０６の機能を定義する１つまたは複数のモジュールと、例えば、ＵＬＬデータ構造を使用してフィードバック指示信号１４２を送信するように構成される無線送信モジュール１２１６と、を含む。幾つかの態様において、受信機モジュール１２０４および無線送信モジュール１２１６は、図７内のトランシーバ７６０および／またはＲＦフロントエンド７６１に含められた１つまたは複数のコンポーネントをそれぞれ意味し得る。
【００９０】
[00104]一態様において、受信モジュール１１０４は、１つまたは複数のチャネルを有しおよびアクセスポイントまたはネットワークエンティティ１０５からの１つまたは複数のグラントおよびダウンリンクデータを含む信号１４０およびチャネルモニタリングコンポーネント７０２を実装し得るチャネルモニタリングコンポーネントモジュール１２０６への信号１４０をそれぞれ受信し得る。チャネルモニタリングコンポーネントモジュール１２０６は、フィードバック指示生成器モジュール１２１０およびフィードバック信号送信機モジュール１２１４に、１つまたは複数のグラントおよびダウンリンクデータ１２０８の指示を出力するかまたはその他の方法で提供し、または、１つまたは複数のグラントおよびダウンリンクデータ１２０８へのアクセスを提供し得る。フィードバック指示生成器モジュール１２１０は、フィードバック指示生成器７０４を実装し得、他方、フィードバック信号送信機１２１４は、フィードバック信号送信機７１４を実装し得る。
【００９１】
[00105]さらに、フィードバック指示生成器モジュール１２１０およびフィードバック信号送信機モジュール１２１４は、１つまたは複数のフィードバックルール７１２を受信するかまたは１つまたは複数のフィードバックルール７１２へのアクセスをその他の方法で有するためにフィードバックルールモジュール１２１２と通信状態にあり得る。従って、フィードバック指示生成器モジュール１２１０は、フィードバック指示７０８を出力するために１つまたは複数の受信されたグラントおよび／またはダウンリンクデータ１２０８に関するフィードバックルール７１２またはそれの一部を実行する。それに対応して、フィードバック信号送信機モジュール１２１４は、無線送信モジュール１２１６にフィードバック指示信号１４２を出力するために１つまたは複数の受信されたグラントおよび／またはダウンリンクデータ１２０８に関するフィードバックルール７１２またはそれの一部を実行する。無線送信モジュール１２１６は、アクセスポイントまたはネットワークエンティティ１０５にフィードバック指示信号１４２を送信する。
【００９２】
[00106]装置１２０２は、図９乃至図１１において説明される方法およびルールの流れのステップの各々を実行する追加のモジュールを含み得る。従って、上記の方法およびルールの流れにおける各ステップは、モジュールによって実行され得、装置１２０２は、それらのモジュールのうちの１つまたは複数を含み得る。モジュールは、プロセッサによる実装のためにコンピュータ可読媒体内に格納される、記載されたプロセス／アルゴリズムを実行するように構成されたプロセッサによって実装される、記載されるプロセス／アルゴリズムを実行するように特に構成された１つまたは複数のハードウェアコンポーネント、またはそれらの任意の組み合わせであり得る。
【００９３】
[00107]図１３は、処理システム１３１４を使用する装置１２０２’に関するハードウェア実装の例を示した概略図１３００である。処理システム１３１４は、概してバス１３２４によって表されるバスアーキテクチャを用いて実装され得る。バス１３２４は、処理システム１３１４の特定の適用例および全体的設計制約に依存して任意の数の相互接続バスとブリッジとを含み得る。バス１３２４は、プロセッサ１３０４、フィードバックマネージャコンポーネント１０６および（チャネルモニタリングコンポーネントモジュール１２０６と、フィードバック指示生成器モジュール１２１０と、フィードバックルールモジュール１２１２と、フィードバック信号送信機モジュール１２１４と、コンピュータ可読媒体１３０６と、を含む）そのコンポーネントによって表される、１つまたは複数のプロセッサおよび／またはハードウェアモジュールを含む様々な回路をひとつにリンクする。バス１３２４はまた、タイミングソース、周辺機器、電圧調整器、および電力管理回路のような様々な他の回路をリンクし、それらは、当業界において周知であり、これ以上は説明されない。
【００９４】
[00108]処理システム１３１４は、トランシーバ１３１０に結合され得、それは、受信機モジュール１２０４と、無線送信モジュール１２１６と、を含み得る。トランシーバ１３１０は、１本または複数本のアンテナ１３２０に結合される。トランシーバ１３１０は、送信媒体を通じて様々な他の装置と通信するための手段を提供する。さらに、トランシーバ１３１０は、１つまたは複数のＵＥにＵＬＬデータ構造および／または送信のためのＵＥデータを送信するように構成され得、および、図１２の無線送信モジュール１２１６を潜在的に含み得る。処理システム１３１４は、コンピュータ可読媒体１３０６に結合されたプロセッサ１３０４を含む。プロセッサ１３０４は、コンピュータ可読媒体１３０６に格納されたソフトウェアの実行を含む一般的処理を担う。ソフトウェアは、プロセッサ１３０４によって実行されると、いずれかの特定の装置に関して上述される様々な機能を実行することを処理システム１３１４に行わせる。コンピュータ可読媒体１３０６はまた、ソフトウェアを実行するときにプロセッサ１３０４によって処理されるデータを格納するために使用され得る。処理システムは、フィードバックマネージャコンポーネント１０６の少なくとも各々のモジュールをさらに含む。モジュール／コンポーネントは、コンピュータ可読媒体１３０６に常駐する／格納された、プロセッサ１３０４内で走るソフトウェアモジュール、プロセッサ１３０４に結合された１つまたは複数のハードウェアモジュール、またはそれらの何らか組み合わせであり得る。処理システム１３１４は、ＵＥ１１５−ａのようなまたはＵＥ６５０のようなＵＥのコンポーネントであり得、および、メモリ６６０および／またはＴＸプロセッサ６６８、ＲＸプロセッサ６５６、およびコントローラ／プロセッサ６５９のうちの少なくとも１つを含み得、それらの任意の組み合わせは、フィードバックマネージャコンポーネント１０６を実装し得る。幾つかの態様において、トランシーバ１３１０は、図７内のトランシーバ７６０および／またはＲＦフロントエンド７６１に含められた１つまたは複数のコンポーネントを意味し得、プロセッサ１３０４は、図７内のプロセッサ７５０を意味し得、および、コンピュータ可読媒体１３０６は、図７内のメモリ７４４を意味し得る。
【００９５】
[00109]一構成において、ワイヤレス通信のための装置１２０２／１２０２’は、１つまたは複数のチャネル上でネットワークエンティティからの信号に関してモニタリングするための手段と、モニタリングに基づいて、１つまたは複数のチャネル上で１つまたは複数のグラントが受信されるかどうかおよびＵＥデータが受信されるかどうかを決定するための手段と、フィードバックルールによりおよび１つまたは複数のグラントおよびＵＥデータが受信されるかどうかに基づいて決定されたフィードバック値を有するフィードバック指示を生成するための手段と、フィードバックルールによりおよび１つまたは複数のグラントおよびＵＥデータが受信されるかどうかに基づいて決定されたリソースでネットワークにフィードバック指示を送信するための手段と、を含む。上記の手段は、装置１２０２の上記のモジュールのうちの１つまたは複数および／または上記の手段によって表される機能を実行するように構成された装置１２０２’の処理システム１３１４であり得る。上述されるように、処理システム１３１４は、ＴＸプロセッサ６６８、ＲＸプロセッサ６５６、およびコントローラ／プロセッサ６５９のうちの少なくとも１つを含み得る。従って、一構成において、上記の手段は、上記の手段によって表される機能を実行するように構成されたＴＸプロセッサ６６８、ＲＸプロセッサ６５６、およびコントローラ／プロセッサ６５９のうちの少なくとも１つであり得る。
【００９６】
[00110]本出願において使用される場合、用語「コンポーネント」、「モジュール」、「システム」および同様の物は、ハードウェア、ファームウェア、ハードウェアとソフトウェアの組み合わせ、ソフトウェア、または実行中のソフトウェアのような、ただしそれらに限定されない、コンピュータ関連エンティティを含むことが意図される。例えば、コンポーネントは、プロセッサ上で走るプロセス、プロセッサ、オブジェクト、エクセキュータブル、実行スレッド、プログラム、および／またはコンピュータであり得、ただし、それらに限定されない。例として、コンピューティングデバイス上で走るアプリケーションおよびコンピューティングデバイスの両方がコンポーネントであることができる。プロセスおよび／または実行スレッド内には１つまたは複数のコンポーネントが常駐することができ、および、コンポーネントは、コンピュータ上において局在化され得るおよび／または２つ以上のコンピュータ間で分散され得る。さらに、これらのコンピュータは、その上に格納された様々なデータ構造を有する様々なコンピュータ可読媒体から実行することができる。コンポーネントは、例えば、ローカルシステム内、分散型システム内の別のコンポーネントと対話する１つのコンポーネントからのデータのような１つまたは複数のデータパケットを有する信号によりローカルおよび／またはリモートプロセスを通じて通信し得、および／または、その信号を通じて他のシステムとインターネットのようなネットワーク全体にわたって通信し得る。
【００９７】
[00111]さらに、本明細書では、有線端末または無線端末であることができるＵＥに関連して様々な態様が説明される。ＵＥはまた、システム、デバイス、加入者ユニット、加入者局、移動局、モバイル、モバイルデバイス、遠隔局、遠隔端末、アクセス端末、ユーザ端末、端末、通信デバイス、ユーザエージェント、またはユーザデバイスと呼ばれることができる。ＵＥは、携帯電話、衛星電話、コードレス電話、セッション開始プロトコル（ＳＩＰ）フォン、ワイヤレスローカルループ（ＷＬＬ）局、携帯情報端末（ＰＤＡ）、無線接続能力を有するハンドヘルドデバイス、コンピューティングデバイス、無線モデムに接続された他の処理デバイスであり得る。さらに、様々な態様が本明細書において基地局に関連して説明される。基地局は、ＵＥまたは無線端末と通信するために利用され得、アクセスポイント、ノードＢ、または何らかの他の用語とも呼ばれ得る。
【００９８】
[00112]さらに、表現「または」は、排他的な「または」ではなく包含的な「または」を意味することが意図される。すなわち、別の記載がないかぎり、または文脈から明らかでないかぎり、句“ＸはＡまたはＢを使用する”は、自然の包含的置換のうちのいずれかを意味することが意図される。すなわち、句“ＸはＡまたはＢを使用する”は、次の事例のうちのいずれかによって満たされる。すなわち、ＸはＡを使用する、ＸはＢを使用する、またはＸはＡとＢの両方を使用する。さらに、本出願及び添付される請求項において使用される場合の冠詞「ａ」および「ａｎ」は、別の記載がないかぎりまたは単数形であることが文脈上明確でないかぎり、概して「１つまたは複数」を意味すると解釈されるべきである。
【００９９】
[00113]本明細書において説明される技法は、ＬＴＥ、ＣＤＭＡ、ＴＤＭＡ、ＦＤＭＡ、ＯＦＤＭＡ、ＳＣ−ＦＤＭＡおよび他のシステムのような様々なワイヤレス通信システムに関して使用され得る。用語「システム」および「ネットワーク」は、互換可能な形でしばしば使用される。ＣＤＭＡシステムは、ユニバーサル地上無線アクセス（ＵＴＲＡ）、ｃｄｍａ２０００、等のような無線技術を実装し得る。ＵＴＲＡは、ワイドバンド−ＣＤＭＡ（Ｗ−ＣＤＭＡ）と、ＣＤＭＡの他の変形と、を含む。さらに、ｃｄｍａ２０００は、ＩＳ−２０００、ＩＳ−９５およびＩＳ−８５６規格を網羅する。ＴＤＭＡシステムは、グローバル移動通信システム（ＧＳＭ）のような無線技法を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術を実装し得る。ＵＴＲＡおよびＥ−ＵＴＲＡは、ユニバーサル移動通信システム（ＵＭＴＳ）の一部である。３ＧＰＰロングタームエボリューション（ＬＴＥ）は、ダウンリンク上ではＯＦＤＭＡ、アップリンク上ではＳＣ−ＦＤＭＡを使用するＥ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名称の団体からの文書において説明される。さらに、ｃｄｍａ２０００およびＵＭＢは、「第３世代パートナーシッププロジェクト２」（３ＧＰＰ２）という名称の団体からの文書において説明される。さらに、そのようなワイヤレス通信システムは、対でない免許不要のスペクトル、８０２．ｘｘ無線ＬＡＮ、ＢＬＵＥＴＯＯＴＨ（登録商標）およびいずれかの他の短距離または長距離のワイヤレス通信技法をしばしば使用するピア・ツー・ピア（例えば、モバイル対モバイル）アドホックネットワークシステムをさらに含み得る。
【０１００】
[00114]幾つかのデバイス、コンポーネント、モジュール、および同様の物を含み得るシステムに関して様々な態様または特徴が提示される。様々なシステムは、追加のデバイス、コンポーネント、モジュール、等を含み得ることおよび／または図に関連して論じられるすべてのデバイス、コンポーネント、モジュール、等は含み得ないことが理解および認識されるべきである。これらのアプローチの組み合わせも使用され得る。
【０１０１】
[00115] 本明細書において開示される実施形態に関連して説明される様々な例示的な論理、論理ブロック、モジュール、および回路は、本明細書において説明される機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲート論理、ディスクリートトランジスタ論理、ディスクリートハードウェアコンポーネント、またはそれらの任意の組合せ、を使用して実装または実行され得る。汎用プロセッサはマイクロプロセッサであり得るが、代替においては、プロセッサは、従来のどのようなプロセッサ、コントローラ、マイクロコントローラ、またはステートマシンであってもよい。プロセッサはまた、コンピューティングデバイスの組合せ、例えば、ＤＳＰと、１つのマイクロプロセッサとの組合せ、複数のマイクロプロセッサとの組合せ、ＤＳＰコアに関連する１つまたは複数のマイクロプロセッサとの組合せ、または任意の他のそのような構成、として実装され得る。さらに、少なくとも１つプロセッサは、上述されるステップおよび／または動作のうちの１つまたは複数を実行するために動作可能な１つまたは複数のモジュールを備え得る。
【０１０２】
[00116]さらに、本明細書において開示される態様に関連して説明される方法またはアルゴリズムのステップおよび／または動作は、直接ハードウェア内において、プロセッサによって実行されるソフトウェアモジュール内において、またはそれらの２つの組み合わせ内において具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当業において知られる任意の他のあらゆる形態の記憶媒体において常駐し得る。例示的な記憶媒体は、プロセッサに結合され得、従って、プロセッサは、記憶媒体から情報を読み出すことおよび記憶媒体に情報を書き込むことができる。代替において、記憶媒体は、プロセッサと一体化し得る。さらに、幾つかの態様において、プロセッサおよび記憶媒体は、ＡＳＩＣ内に常駐し得る。さらに、ＡＳＩＣは、ユーザ端末内に常駐し得る。代替において、プロセッサおよび記憶媒体は、ユーザ端末内において個別コンポーネントとして常駐し得る。さらに、幾つかの態様において、方法またはアルゴリズムのステップおよび／または動作は、コンピュータプログラム製品内に組み込まれ得る機械可読媒体および／またはコンピュータ可読媒体上に１つのコードおよび／または命令としてまたはコードおよび／または命令の任意の組み合わせまたは組として常駐し得る。
【０１０３】
[00117]１つまたは複数の態様において、説明される機能は、ハードウェア、ソフトウェア、ファームウェア、またはそれらの任意の組み合わせ内に実装され得る。ソフトウェア内に実装される場合は、これらの機能は、コンピュータ可読媒体上において格納されまたは１つまたは複数の命令またはコードとして送信され得る。コンピュータ可読媒体は、コンピュータ記憶媒体と、コンピュータ記憶媒体と、１カ所から別へのコンピュータプログラムの転送を容易にするいずれかの媒体を含む通信媒体と、の両方を含む。記憶媒体は、コンピュータによってアクセスされることができる任意の利用可能な媒体であり得る。例として、および限定することなしに、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、または、希望されるプログラムコードを命令またはデータ構造の形態で搬送または格納するために使用されることができおよびコンピュータによってアクセスされることができる任意の他の媒体、を備えることができる。さらに、いずれの接続も、コンピュータ可読媒体と呼ばれ得る。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬ、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められるべきである。
[00118]上記の開示は、例示的な態様および／または実施形態について論じる一方で、本明細書では、添付される請求項によって定義されるように説明される態様および／または実施形態の適用範囲から逸脱することなしに様々な変更および修正が行われることができるが注記されるべきである。さらに、説明される態様および／または実施形態の要素は、単数形で説明または請求され得るが、単数形への限定が明示されていないかぎり複数形が企図される。さらに、任意の態様および／または実施形態の全体または一部は、別の記載がないかぎり、任意の他の態様および／または実施形態の全体または一部とともに利用され得る。
以下に本願の出願当初の特許請求の範囲に記載された発明を付記する。
［Ｃ１］
ユーザ機器（ＵＥ）によって受信されたダウンリンク通信に関するフィードバックを提供する方法であって、
１つまたは複数のチャネル上でネットワークエンティティからの信号に関してモニタリングすることと、
前記モニタリングに基づいて、前記１つまたは複数のチャネル上で１つまたは複数のグラントが受信されるかどうかおよびＵＥデータが受信されるかどうかを決定することと、
フィードバックルールによりおよび前記１つまたは複数のグラントおよび前記ＵＥデータが受信されるかどうかに基づいて決定されたフィードバック値を有するフィードバック指示を生成することと、
前記フィードバックルールによりおよび前記１つまたは複数のグラントおよび前記ＵＥデータが受信されるかどうかに基づいて決定されたリソースで前記ネットワークエンティティに前記フィードバック指示を送信することと、を備える、方法。
［Ｃ２］
前記１つまたは複数のグラントが受信されるかどうかおよびＵＥデータが受信されるかどうかを決定することは、
前記ＵＥが前記ネットワークエンティティから第１段階アップリンクグラントを受信したかどうかを決定することと、
前記ＵＥが前記ネットワークエンティティから第１段階ダウンリンクグラントを受信したかどうかに基づいて第１の状態を決定することと、
前記ＵＥが前記ネットワークエンティティから第２段階ダウンリンクグラントを受信したかどうかに基づいて第２の状態を決定することと、
前記ＵＥが前記ＵＥデータを受信したかどうかおよび前記ＵＥデータが前記ＵＥによって成功裏に復号されるかどうかに基づいて第３の状態を決定することと、を含む、
Ｃ１に記載の方法。
［Ｃ３］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、および、
前記第２の状態は、前記第２段階ダウンリンクグラントが受信されなかったことを示す、
Ｃ２に記載の方法。
［Ｃ４］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ５］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ６］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されなかったことを示し、および、
前記第３の状態は、ダウンリンクデータが受信されなかったことを示す、
Ｃ２に記載の方法。
［Ｃ７］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ８］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ９］
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含み、
前記第１の状態は、前記第１段階ダウンリンクグラントが受信されなかったことを示し、および、
前記第２の状態は、前記第２段階ダウンリンクグラントが受信されなかったことを示す、
Ｃ２に記載の方法。
［Ｃ１０］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ１１］
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ１２］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが前記ＵＥによって受信されたことを示し、および、
前記第２の状態は、前記第２段階ダウンリンクグラントが受信されなかったことを示す、
Ｃ２に記載の方法。
［Ｃ１３］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ１４］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ１５］
前記１つまたは複数のグラントは、前記ＵＥに変調コーディング方式（ＭＣＳ）パラメータ、プリコーディングパラメータ、または電力制御パラメータのうちの１つまたは複数を割り当てる第１段階ダウンリンクグラントを含む、
Ｃ１に記載の方法。
［Ｃ１６］
前記１つまたは複数のグラントは、前記ＵＥに帯域幅リソースを割り当てる第２段階ダウンリンクグラントを含む、
Ｃ１に記載の方法。
［Ｃ１７］
前記信号に関して前記モニタリングすることまたは１つのサブフレーム未満の送信時間間隔（ＴＴＩ）で前記ネットワークエンティティに前記フィードバック指示を前記送信することのうちの少なくとも１つを実行することをさらに備える、
Ｃ１に記載の方法。
［Ｃ１８］
ユーザ機器（ＵＥ）によって受信されたダウンリンク通信に関するフィードバックを提供するためのコンピュータ実行可能コードを格納するコンピュータ可読媒体であって、
１つまたは複数のチャネル上でネットワークエンティティからの信号に関してモニタリングするためのコードと、
前記モニタリングに基づいて、前記１つまたは複数のチャネル上で１つまたは複数のグラントが受信されるかどうかおよびＵＥデータが受信されるかどうかを決定するためのコードと、
フィードバックルールによりおよび前記１つまたは複数のグラントおよび前記ＵＥデータが受信されるかどうかに基づいて決定されたフィードバック値を有するフィードバック指示を生成するためのコードと、
前記フィードバックルールによりおよび前記１つまたは複数のグラントおよび前記ＵＥデータが受信されるかどうかに基づいて決定されたリソースで前記ネットワークエンティティに前記フィードバック指示を送信するためのコードと、を備える、
コンピュータ可読媒体。
［Ｃ１９］
ユーザ機器（ＵＥ）によって受信されたダウンリンク通信に関するフィードバックを提供するための装置であって、
１つまたは複数のチャネル上でネットワークエンティティからの信号に関してモニタリングするための手段と、
前記モニタリングに基づいて、前記１つまたは複数のチャネル上で１つまたは複数のグラントが受信されるかどうかおよびＵＥデータが受信されるかどうかを決定するための手段と、
フィードバックルールによりおよび前記１つまたは複数のグラントおよび前記ＵＥデータが受信されるかどうかに基づいて決定されたフィードバック値を有するフィードバック指示を生成するための手段と、
前記フィードバックルールによりおよび前記１つまたは複数のグラントおよび前記ＵＥデータが受信されるかどうかに基づいて決定されたリソースで前記ネットワークエンティティに前記フィードバック指示を送信するための手段と、を備える、装置。
［Ｃ２０］
ユーザ機器（ＵＥ）によって受信されたダウンリンク通信に関するフィードバックを提供するための装置であって、
１つまたは複数のチャネル上でネットワークエンティティからの信号を受信するように構成されたトランシーバと、
前記トランシーバと通信状態にあるプロセッサ、前記プロセッサは、
前記１つまたは複数のチャネル上で前記ネットワークエンティティからの前記信号に関してモニタリングし、
前記モニタリングに基づいて、前記１つまたは複数のチャネル上で１つまたは複数のグラントが受信されるかどうかおよびＵＥデータが受信されるかどうかを決定し、
フィードバックルールによりおよび前記１つまたは複数のグラントおよび前記ＵＥデータが受信されるかどうかに基づいて決定されたフィードバック値を有するフィードバック指示を生成し、および、
前記フィードバックルールによりおよび前記１つまたは複数のグラントおよび前記ＵＥデータが受信されるかどうかに基づいて決定されたリソースで前記ネットワークエンティティに前記フィードバック指示を送信するように構成される、と、
前記フィードバック指示および前記フィードバック値を格納するために前記プロセッサに結合されたメモリと、を備える、装置。
［Ｃ２１］
前記プロセッサは、
前記ＵＥが前記ネットワークエンティティから第１段階アップリンクグラントを受信したかどうかを決定し、
前記ＵＥが前記ネットワークエンティティから第１段階ダウンリンクグラントを受信したかどうかに基づいて第１の状態を決定し、
前記ＵＥが前記ネットワークエンティティから第２段階ダウンリンクグラントを受信したかどうかに基づいて第２の状態を決定し、および、
前記ＵＥが前記ＵＥデータを受信したかどうかおよび前記ＵＥデータが前記ＵＥによって成功裏に復号されるかどうかに基づいて第３の状態を決定するようにさらに構成される、
Ｃ２０に記載の装置。
［Ｃ２２］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、および、
前記第２の状態は、前記第２段階ダウンリンクグラントが受信されなかったことを示す、
Ｃ２１に記載の装置。
［Ｃ２３］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２１に記載の装置。
［Ｃ２４］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２１に記載の装置。
［Ｃ２５］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されなかったことを示し、および、
前記第３の状態は、ダウンリンクデータが受信されなかったことを示す、
Ｃ２１に記載の装置。
［Ｃ２６］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２１に記載の装置。
［Ｃ２７］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２１に記載の装置。
［Ｃ２８］
前記ＵＥが前記第１段階アップリンクグラントを受信したという決定、および、ここにおいて、前記フィードバック指示は、前記第１段階ダウンリンクグラントによって許可されたリソースを通じての送信に関するＮＡＣＫメッセージを含み、
前記第１の状態は、前記第１段階ダウンリンクグラントが受信されなかったことを示し、および、
前記第２の状態は、前記第２段階ダウンリンクグラントが受信されなかったことを示す、
Ｃ２１に記載の装置。
【図１】
0006377850.tif 000002
【図２】
0006377850.tif 000003
【図３】
0006377850.tif 000004
【図４】
0006377850.tif 000005
【図５】
0006377850.tif 000006
【図６】
0006377850.tif 000007
【図７】
0006377850.tif 000008
【図８】
0006377850.tif 000009
【図９】
0006377850.tif 000010
【図１０】
0006377850.tif 000011
【図１１】
0006377850.tif 000012
【図１２】
0006377850.tif 000013
【図１３】
0006377850.tif 000014